(57)【要約】  本開示のいくつかの態様は、直交位相合成および調整を実行するための方法および装置を提供する。１つの例示的な回路としては、第１〜第４の混合回路があり得る。第１の混合回路は、第１の周波数変換信号を生成するために、無線周波数信号に第１のローカル発振信号を乗じ得る。第２の混合回路は、第２の周波数変換信号を生成するために、無線周波数（ＲＦ）信号に、第１のローカル発振信号と約９０°位相がずれていることがある第２のローカル発振信号を乗じ得る。第３および第４の混合回路は、それぞれ、第３および第４の周波数変換信号を生成するために、ＲＦ信号にそれぞれ、第２および第１の信号を乗じ得る。第１の合成回路は、第１および第３の周波数変換信号を合成し得、第２の合成回路は、第２および第４の周波数変換信号を合成し得る。
2017513278.tif 000002
【特許請求の範囲】
【請求項１】
周波数変換および直交位相合成のための回路であって、
無線周波数（ＲＦ）信号に第１のローカル発振信号を乗じ、第１の周波数変換信号を生成するように構成された第１の混合回路と、
前記第１のローカル発振信号に対して約９０°位相がずれている第２のローカル発振信号を前記ＲＦ信号に乗じ、第２の周波数変換信号を生成するように構成された第２の混合回路と
前記ＲＦ信号に前記第２のローカル発振信号を乗じ、第３の周波数変換信号を生成するように構成された第３の混合回路と、
前記ＲＦ信号に前記第１のローカル発振信号を乗じ、第４の周波数変換信号を生成するように構成された第４の混合回路と、
前記第１の周波数変換信号を前記第３の周波数変換信号と合成するように構成された第１の合成回路と、
前記第２の周波数変換信号を前記第４の周波数変換信号と合成するように構成された第２の合成回路と
を備える、回路。
【請求項２】
前記第３の混合回路と前記第１の合成回路との間に挿入され、前記第１の周波数変換信号の何分の１かである振幅を有するように前記第３の周波数変換信号をスケーリングするように構成された第１のスケーリング回路と、
前記第４の混合回路と前記第２の合成回路との間に挿入され、前記第２の周波数変換信号の何分の１かである振幅を有するように前記第４の周波数変換信号をスケーリングするように構成された第２のスケーリング回路と
をさらに備える、請求項１に記載の回路。
【請求項３】
前記第１または第２のスケーリング回路のうちの少なくとも１つの利得は、プログラム可能である、請求項２に記載の回路。
【請求項４】
前記第１または第２のスケーリング回路のうちの少なくとも１つは、それぞれ、前記第３または第４の周波数変換信号の位相を反転させるように構成された、請求項２に記載の回路。
【請求項５】
前記第１または第２のスケーリング回路のうちの前記少なくとも１つの位相反転は、プログラム可能である、請求項４に記載の回路。
【請求項６】
前記第１および第２の合成回路は、それぞれの信号を電流加算するための加算ノードを備える、請求項１に記載の回路。
【請求項７】
前記第３または第４の混合回路のうちの少なくとも１つは、プログラム可能である、請求項１に記載の回路。
【請求項８】
前記第１および第２のローカル発振信号または前記第１および第２の混合回路のうちの少なくとも一方の間の位相不均衡は、前記第１および第２の合成回路の出力において補正済みである、請求項１に記載の回路。
【請求項９】
前記第１および第３の周波数変換信号の合成されたものを処理するための第１のベースバンド回路と、
前記第２および第４の周波数変換信号の合成されたものを処理するための第２のベースバンド回路と
をさらに備え、
前記第１および第２のベースバンド回路の間の位相不均衡は、前記第１および第２の合成回路の出力において補正済みであるかまたは少なくとも調整済みである、
請求項１に記載の回路。
【請求項１０】
周波数変換および直交位相合成のための方法であって、
無線周波数（ＲＦ）信号に第１のローカル発振信号を乗じ、第１の周波数変換信号を生成することと、
前記第１のローカル発振信号に対して約９０°位相がずれている第２のローカル発振信号を前記ＲＦ信号に乗じ、第２の周波数変換信号を生成することと、
前記ＲＦ信号に前記第２のローカル発振信号を乗じ、第３の周波数変換信号を生成することと、
前記ＲＦ信号に前記第１のローカル発振信号を乗じ、第４の周波数変換信号を生成することと、
前記第１および第３の周波数変換信号を合成することと、
前記第２および第４の周波数変換信号を合成することと
を備える、方法。
【請求項１１】
前記第１および第３の周波数変換信号を合成する前に、前記第１の周波数変換信号の何分の１かである振幅を有するように前記第３の周波数変換信号をスケーリングすることと、
前記第２および第４の周波数変換信号を合成する前に、前記第２の周波数変換信号の何分の１かである振幅を有するように前記第４の周波数変換信号をスケーリングすることと
をさらに備える、請求項１０に記載の方法。
【請求項１２】
前記第３または第４の周波数変換信号のうちの少なくとも１つの位相を反転させることをさらに備える、請求項１１に記載の方法。
【請求項１３】
前記第１および第３の周波数変換信号を合成することと、前記第２および第４の周波数変換信号を合成することとは、加算ノードにおいてそれぞれの信号を電流加算することを備える、請求項１０に記載の方法。
【請求項１４】
前記第１および第２のローカル発振信号または第１および第２の混合回路のうちの少なくとも一方の間の位相不均衡は、前記第１および第３の周波数変換信号の合成されたものならびに前記第２および第４の周波数変換信号の合成されたものにおいて補正済みである、請求項１０に記載の方法。
【請求項１５】
第１のベースバンド回路の中で前記第１および第３の周波数変換信号の合成されたものを処理することと、
第２のベースバンド回路の中で前記第２および第４の周波数変換信号の合成されたものを処理することと
をさらに備え、
前記第１および第２のベースバンド回路の間の位相不均衡は、前記第１および第３の周波数変換信号の合成されたものならびに前記第２および第４の周波数変換信号の合成において補正済みであるかまたは少なくとも調整済みである、
請求項１０に記載の方法。
【請求項１６】
周波数変換および直交位相合成のための回路であって、
無線周波数（ＲＦ）信号に第１のローカル発振信号を乗じ、第１の周波数変換信号を生成するように構成された第１の混合回路と、
前記第１のローカル発振信号に対して約９０°位相がずれている第２のローカル発振信号を前記ＲＦ信号に乗じ、第２の周波数変換信号を生成するように構成された第２の混合回路と、
前記第１の周波数変換信号を前記第２の周波数変換信号の一部分と合成するように構成された第１の合成回路と、
前記第２の周波数変換信号を前記第１の周波数変換信号の一部分と合成するように構成された第２の合成回路と
を備える、回路。
【請求項１７】
前記第２の混合回路と前記第１の合成回路との間に挿入され、前記第１の周波数変換信号の何分の１かである振幅を有するように前記第２の周波数変換信号の前記一部分をスケーリングするように構成された第１のスケーリング回路、または
前記第１の混合回路と前記第２の合成回路との間に挿入され、前記第２の周波数変換信号の何分の１かである振幅を有するように前記第１の周波数変換信号の前記一部分をスケーリングするように構成された第２のスケーリング回路
のうちの少なくとも１つをさらに備える、請求項１６に記載の回路。
【請求項１８】
前記第１または第２のスケーリング回路のうちの少なくとも１つの利得は、プログラム可能である、請求項１７に記載の回路。
【請求項１９】
前記第１または第２のスケーリング回路のうちの少なくとも１つは、それぞれ、前記第２または第１の周波数変換信号の前記一部分の位相を反転させるように構成され、
前記第１または第２のスケーリング回路のうちの前記少なくとも１つの位相反転は、プログラム可能である、
請求項１７に記載の回路。
【請求項２０】
前記第１または第２のスケーリング回路のうちの前記少なくとも１つは、前記第１または第２のローカル発振信号のうちの少なくとも１つによって選択的に使用可能にされる、請求項１７に記載の回路。
【請求項２１】
前記第１および第２の合成回路は、それぞれの信号を電流加算するための加算ノードを備える、請求項１６に記載の回路。
【請求項２２】
前記第１および第２のローカル発振信号または前記第１および第２の混合回路のうちの少なくとも一方の間の位相不均衡は、前記第１および第２の合成回路の出力において補正済みであるかまたは少なくとも調整済みである、請求項１６に記載の回路。
【請求項２３】
前記第１の周波数変換信号と前記第２の周波数変換信号の前記一部分との合成されたものを処理するように構成された第１のベースバンド回路と、
前記第２の周波数変換信号と前記第１の周波数変換信号の前記一部分との合成されたものを処理するように構成された第２のベースバンド回路と
をさらに備え、
前記第１および第２のベースバンド回路の間の位相不均衡は、前記第１の周波数変換信号と前記第２の周波数変換信号の前記一部分との合成されたものならびに前記第２の周波数変換信号と前記第１の周波数変換信号の前記一部分との合成されたものにおいて補正済みであるかまたは少なくとも調整済みである、
請求項１６に記載の回路。
【請求項２４】
周波数変換および直交位相合成のための方法であって、
無線周波数（ＲＦ）信号に第１のローカル発振信号を乗じ、第１の周波数変換信号を生成することと、
前記第１のローカル発振信号に対して約９０°位相がずれている第２のローカル発振信号を前記ＲＦ信号に乗じ、第２の周波数変換信号を生成することと、
前記第１の周波数変換信号を前記第２の周波数変換信号の一部分と合成することと、
前記第２の周波数変換信号を前記第１の周波数変換信号の一部分と合成することと
を備える、方法。
【請求項２５】
前記第１の周波数変換信号を前記第２の周波数変換信号の前記一部分と合成する前に、前記第１の周波数変換信号の何分の１かである振幅を有するように前記第２の周波数変換信号の前記一部分をスケーリングすること、または
前記第２の周波数変換信号を前記第１の周波数変換信号の前記一部分と合成する前に、前記第２の周波数変換信号の何分の１かである振幅を有するように前記第１の周波数変換信号の前記一部分をスケーリングすること
のうちの少なくとも１つをさらに備える、請求項２４に記載の方法。
【請求項２６】
前記第１または第２の周波数変換信号の前記一部分のうちの少なくとも１つの位相を反転させることをさらに備える、請求項２５に記載の方法。
【請求項２７】
前記第１または第２の周波数変換信号の前記一部分のうちの少なくとも１つをスケーリングすることは、前記第１または第２のローカル発振信号のうちの少なくとも１つによって選択的に使用可能にされる、請求項２５に記載の方法。
【請求項２８】
前記第１の周波数変換信号と第２の周波数信号の前記一部分とを合成することと、前記第２の周波数変換信号と第１の周波数信号の前記一部分とを合成することとは、加算ノードにおいてそれぞれの信号を電流加算することを備える、請求項２４に記載の方法。
【請求項２９】
前記第１および第２のローカル発振信号または第１および第２の混合回路のうちの少なくとも一方の間の位相不均衡は、前記第１の周波数変換信号と前記第２の周波数変換信号の前記一部分との合成にならびに前記第２の周波数変換信号と前記第１の周波数変換信号の前記一部分との合成において補正済みであるかまたは少なくとも調整済みである、請求項２４に記載の方法。
【請求項３０】
第１のベースバンド回路の中で前記第１の周波数変換信号と前記第２の周波数変換信号の前記一部分との合成されたものを処理することと、
第２のベースバンド回路の中で前記第２の周波数変換信号と前記第１の周波数変換信号の前記一部分との合成されたものを処理することと
をさらに備え、
前記第１および第２のベースバンド回路の間の位相不均衡は、前記第１の周波数変換信号と前記第２の周波数変換信号の前記一部分との合成されたものならびに前記第２の周波数変換信号と前記第１の周波数変換信号の前記一部分との合成されたものにおいて補正済みであるかまたは少なくとも調整済みである、
請求項２４に記載の方法。
【発明の詳細な説明】
【技術分野】
【０００１】
米国特許法第１１９条による優先権の主張
[0001]本出願は、その全体がともに参照により本明細書に組み込まれる、２０１４年２月１９日に出願された米国仮特許出願第６１／９４１，９０８号、および２０１４年８月２１日に出願された米国特許出願第１４／４６５，４４２号の利益を主張する。
【０００２】
[0002]本開示の特定の態様は、一般に、無線周波数（ＲＦ）電子回路に関し、より詳細には、直交位相合成および調整に関する。
【背景技術】
【０００３】
[0003]ワイヤレス通信ネットワークは、電話、ビデオ、データ、メッセージング、ブロードキャストなどの様々な通信サービスを提供するために広く展開されている。そのようなネットワークは、通常、多元接続ネットワークであり、利用可能なネットワークリソースを共有することによって複数のユーザのための通信をサポートする。たとえば、１つのネットワークは、ＥＶＤＯ（エボリューションデータオプティマイズド：Evolution-Data Optimized）、１ｘＲＴＴ（１倍無線送信技術：1 times Radio Transmission Technology、または単に１ｘ）、Ｗ−ＣＤＭＡ（登録商標）（広帯域符号分割多元接続：Wideband Code Division Multiple Access）、ＵＭＴＳ−ＴＤＤ（ユニバーサルモバイル電気通信システム−時分割複信：Universal Mobile Telecommunications System-Time Division Duplexing）、ＨＳＰＡ（高速パケットアクセス：High Speed Packet Access）、ＧＰＲＳ（汎用パケット無線サービス：General Packet Radio Service）、またはＥＤＧＥ（グローバル進化のための拡張データレート：Enhanced Data rates for Global Evolution）を含む様々な３Ｇ無線アクセス技術（ＲＡＴ）のうちのいずれか１つを介してネットワークサービスを提供し得る３Ｇ（第３世代のモバイルフォン規格および技術）システムであり得る。３Ｇネットワークは、ボイス呼に加えて、高速インターネットアクセスおよびビデオ電話を組み込むように発展したワイドエリアセルラー電話ネットワークである。さらに、３Ｇネットワークは、他のネットワークシステムよりも一層定着しており、より大きいカバレージエリアを提供し得る。また、そのような多元接続ネットワークとしては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）ネットワーク、第３世代パートナーシッププロジェクト（３ＧＰＰ（登録商標））ロングタームエボリューション（ＬＴＥ（登録商標））ネットワーク、およびロングタームエボリューションアドバンスト（ＬＴＥ−Ａ）ネットワークがあり得る。
【０００４】
[0004]ワイヤレス通信ネットワークは、いくつかの移動局のための通信をサポートすることができるいくつかの基地局を含み得る。移動局（ＭＳ）は、ダウンリンクとアップリンクとを介して基地局（ＢＳ）と通信し得る。ダウンリンク（または順方向リンク）は、基地局から移動局への通信リンクを指し、アップリンク（または逆方向リンク）は、移動局から基地局への通信リンクを指す。基地局は、移動局にダウンリンク上でデータと制御情報とを送信し得、および／または移動局からアップリンク上でデータと制御情報とを受信し得る。
【発明の概要】
【０００５】
[0005]本開示のいくつかの態様は、一般に、無線周波数（ＲＦ）回路における直交位相合成および調整に関する。互いに対して９０°（またはほぼ９０°）位相がずれている信号は、しばしば、「直交位相にある」と呼ばれる。
【０００６】
[0006]本開示のいくつかの態様は、周波数変換および直交位相合成のための回路を提供する。本回路は、概して、第１の周波数変換信号を生成するために、無線周波数（ＲＦ）信号に第１のローカル発振信号を乗じるように構成された第１の混合回路と、第２の周波数変換信号を生成するために、ＲＦ信号に第２のローカル発振信号を乗じるように構成された第２の混合回路と、ここにおいて、第２のローカル発振信号が、第１のローカル発振信号に対して約９０°位相がずれている、第３の周波数変換信号を生成するために、ＲＦ信号に第２のローカル発振信号を乗じるように構成された第３の混合回路と、第４の周波数変換信号を生成するために、ＲＦ信号に第１のローカル発振信号を乗じるように構成された第４の混合回路と、第１の周波数変換信号を第３の周波数変換信号と合成するように構成された第１の合成回路と、第２の周波数変換信号を第４の周波数変換信号と合成するように構成された第２の合成回路とを含む。
【０００７】
[0007]いくつかの態様によれば、本回路は、第３の混合回路と第１の合成回路との間に挿入され、第１の周波数変換信号の何分の１か（fraction）である振幅を有するように第３の周波数変換信号をスケーリングするように構成された第１のスケーリング回路と、第４の混合回路と第２の合成回路との間に挿入され、第２の周波数変換信号の何分の１かである振幅を有するように第４の周波数変換信号をスケーリングするように構成された第２のスケーリング回路とをさらに含む。この場合、第１または第２のスケーリング回路のうちの少なくとも１つの利得はプログラム可能であり得る。第１または第２のスケーリング回路のうちの少なくとも１つは、それぞれ、第３または第４の周波数変換信号の位相を反転させるように構成され得る。第１または第２のスケーリング回路のうちの少なくとも１つの位相反転はプログラム可能であり得る。
【０００８】
[0008]いくつかの態様によれば、第１および第２の合成回路は、それぞれの信号を電流加算するための加算ノードを備える。
【０００９】
[0009]いくつかの態様によれば、第３または第４の混合回路のうちの少なくとも１つはプログラム可能である。
【００１０】
[0010]いくつかの態様によれば、第１および第２のローカル発振信号と、第１、第２、第３、および第４の周波数変換信号とは、差動信号である。この場合、ＲＦ信号は差動信号であり得る。
【００１１】
[0011]いくつかの態様によれば、ＲＦ信号は、トランスコンダクタンス増幅器から受信され得る。
【００１２】
[0012]いくつかの態様によれば、第１および第２の発振信号または第１および第２の混合回路のうちの少なくとも一方の間の位相不均衡は、第１および第２の合成回路の出力において補正されるかまたは少なくとも調整され得る。
【００１３】
[0013]いくつかの態様によれば、本回路は、第１および第３の周波数変換信号の合成されたものを処理するための第１のベースバンド回路と、第２および第４の周波数変換信号の合成されたものを処理するための第２のベースバンド回路とをさらに含む。このようにして、第１および第２のベースバンド回路との間の位相不均衡は、第１および第２の合成回路の出力において補正済みであるかまたは少なくとも調整済みであり得る。
【００１４】
[0014]本開示のいくつかの態様は、周波数変換および直交位相合成のための方法を提供する。本方法は、概して、第１の周波数変換信号を生成するために、ＲＦ信号に第１のローカル発振信号を乗じることと、第２の周波数変換信号を生成するために、ＲＦ信号に第２のローカル発振信号を乗じることと、ここにおいて、第２のローカル発振信号が、第１のローカル発振信号に対して約９０°位相がずれている、第３の周波数変換信号を生成するために、ＲＦ信号に第２のローカル発振信号を乗じることと、第４の周波数変換信号を生成するために、ＲＦ信号に第１のローカル発振信号を乗じることと、第１および第３の周波数変換信号を合成することと、第２および第４の周波数変換信号を合成することとを含む。
【００１５】
[0015]本開示のいくつかの態様は、周波数変換および直交位相合成のための装置を提供する。本装置は、概して、第１の周波数変換信号を生成するために、ＲＦ信号に第１のローカル発振信号を乗じるための手段と、第２の周波数変換信号を生成するために、ＲＦ信号に第２のローカル発振信号を乗じるための手段と、ここにおいて、第２のローカル発振信号が、第１のローカル発振信号に対して約９０°位相がずれている、第３の周波数変換信号を生成するために、ＲＦ信号に第２のローカル発振信号を乗じるための手段と、第４の周波数変換信号を生成するために、ＲＦ信号に第１のローカル発振信号を乗じるための手段と、第１および第３の周波数変換信号を合成するための手段と、第２および第４の周波数変換信号を合成するための手段とを含む。
【００１６】
[0016]本開示のいくつかの態様は、周波数変換および直交位相合成のための回路を提供する。本回路は、概して、第１の周波数変換信号を生成するために、ＲＦ信号に第１のローカル発振信号を乗じるように構成された第１の混合回路と、第２の周波数変換信号を生成するために、ＲＦ信号に第２のローカル発振信号を乗じるように構成された第２の混合回路と、ここにおいて、第２のローカル発振信号が、第１のローカル発振信号に対して約９０°位相がずれている、第１の周波数変換信号を第２の周波数変換信号の一部分（portion）と合成するように構成された第１の合成回路と、第２の周波数変換信号を第１の周波数変換信号の一部分と合成するように構成された第２の合成回路とを含む。
【００１７】
[0017]いくつかの態様によれば、本回路は、（１）第２の混合回路と第１の合成回路との間に挿入され、第１の周波数変換信号の何分の１かである振幅を有するように第２の周波数変換信号の一部分をスケーリングするように構成された第１のスケーリング回路、または（２）第１の混合回路と第２の合成回路との間に挿入され、第２の周波数変換信号の何分の１かである振幅を有するように第１の周波数変換信号の一部分をスケーリングするように構成された第２のスケーリング回路のうちの少なくとも１つをさらに含み得る。この場合、第１または第２のスケーリング回路のうちの少なくとも１つの利得はプログラム可能であり得る。第１または第２のスケーリング回路のうちの少なくとも１つは、それぞれ、第２または第１の周波数変換信号の一部分の位相を反転させるように構成され得る。第１または第２のスケーリング回路のうちの少なくとも１つの位相反転はプログラム可能であり得る。いくつかの態様では、第１または第２のスケーリング回路のうちの少なくとも１つは、第１または第２のローカル発振信号のうちの少なくとも１つによって選択的に使用可能にされ得る。
【００１８】
[0018]いくつかの態様によれば、第１および第２の合成回路は、それぞれの信号を電流加算するための加算ノードを備える。
【００１９】
[0019]いくつかの態様によれば、第１および第２のローカル発振信号と第１および第２の周波数変換信号とは差動信号である。ＲＦ信号は、シングルエンド信号または差動信号であり得る。
【００２０】
[0020]いくつかの態様によれば、ＲＦ信号は、トランスコンダクタンス増幅器から受信され得る。
【００２１】
[0021]いくつかの態様によれば、第１および第２のローカル発振信号または第１および第２の混合回路のうちの少なくとも一方の間の位相不均衡は、第１および第２の合成回路の出力において補正されるかまたは少なくとも調整され得る。
【００２２】
[0022]いくつかの態様によれば、本回路は、第１の周波数変換信号と第２の周波数変換信号の一部分との合成されたものを処理するように構成された第１のベースバンド回路と、第２の周波数変換信号と第１の周波数変換信号の一部分との合成されたものを処理するように構成された第２のベースバンド回路とをさらに含む。このようにして、第１および第２のベースバンド回路の間の位相不均衡は、第１の周波数変換信号と第２の周波数変換信号の一部分との合成において、および第２の周波数変換信号と第１の周波数変換信号の一部分との合成において補正済みであるかまたは少なくとも調整済みであり得る。
【００２３】
[0023]本開示のいくつかの態様は、周波数変換および直交位相合成のための方法を提供する。本方法は、概して、第１の周波数変換信号を生成するために、ＲＦ信号に第１のローカル発振信号を乗じることと、第２の周波数変換信号を生成するために、ＲＦ信号に第２のローカル発振信号を乗じることと、ここにおいて、第２のローカル発振信号が、第１のローカル発振信号に対して約９０°位相がずれている、第１の周波数変換信号を第２の周波数変換信号の一部分と合成することと、第２の周波数変換信号を第２の周波数変換信号の一部分と合成することとを含む。
【００２４】
[0024]本開示のいくつかの態様は、周波数変換および直交位相合成のための装置を提供する。本装置は、概して、第１の周波数変換信号を生成するために、ＲＦ信号に第１のローカル発振信号を乗じるための手段と、第２の周波数変換信号を生成するために、ＲＦ信号に第２のローカル発振信号を乗じるための手段と、ここにおいて、第２のローカル発振信号が、第１のローカル発振信号に対して約９０°位相がずれている、第１の周波数変換信号を第２の周波数変換信号の一部分と合成するための手段と、第２の周波数変換信号を第２の周波数変換信号の一部分と合成するための手段とを含む。
【００２５】
[0025]本開示の上記で具陳した特徴が詳細に理解され得るように、添付の図面にその一部を示す態様を参照することによって、上記で手短に要約されたより具体的な説明が得られ得る。しかしながら、添付の図面は本開示の特定の典型的態様を図示したものにすぎず、したがって説明は他の同様に有効な態様を許容することができるため、本開示の範囲を制限するものとして見なされるべきではないことに留意されたい。
【図面の簡単な説明】
【００２６】
【図１】[0026]本開示のいくつかの態様による、例示的なワイヤレス通信ネットワークを示す図。
【図２】[0027]本開示のいくつかの態様による、例示的なアクセスポイント（ＡＰ）およびユーザ端末のブロック図。
【図３】[0028]本開示のいくつかの態様による、例示的なトランシーバフロントエンドのブロック図。
【図４Ａ】[0029]本開示のいくつかの態様による、直交位相信号間に位相不均衡がない状態を示す図。
【図４Ｂ】本開示のいくつかの態様による、直交位相信号間の位相不均衡を示す図。
【図４Ｃ】本開示のいくつかの態様による、直交位相信号に対する単信位相補正を示す図。
【図４Ｄ】本開示のいくつかの態様による、直交位相信号に対する複信位相補正を示す図。
【図５】[0030]本開示のいくつかの態様による、補助ミキサを使用する例示的な概念上の位相不均衡調整回路を示す図。
【図６Ａ】[0031]本開示のいくつかの態様による、図５の位相不均衡調整回路の例示的な実装形態の概略図。
【図６Ｂ】[0032]本開示のいくつかの態様による、調整の１つの例示的な効果の簡略図付きの固定および可変補助ミキサを有する図６Ａの位相不均衡調整回路の例示的な実装形態の概略図。
【図７】[0033]本開示のいくつかの態様による、補助ミキサを使用する例示的な位相不均衡調整回路の信号式を伴うブロック図。
【図８】[0034]本開示のいくつかの態様による、図６Ａにおける実装形態に対応する関連する位相補正済み信号式を伴う例示的な複信位相補正を示す図。
【図９】[0035]本開示のいくつかの態様による、補助ミキサを使用する位相不均衡調整回路をもつ例示的な無線周波数フロントエンド（ＲＦＦＥ）の概略図。
【図１０】[0036]本開示のいくつかの態様による、ミキサ出力直交位相信号の部分合成を使用する位相不均衡調整回路をもつ例示的なＲＦＦＥの概略図。
【図１１】[0037]本開示のいくつかの態様による、ミキサ出力直交位相信号の部分合成を使用する例示的な位相不均衡調整回路の信号式を伴うブロック図。
【図１２Ａ】[0038]本開示のいくつかの態様による、局部発振器（ＬＯ）信号が部分合成を制御する位相不均衡調整回路の例示的な実装形態の概略図。
【図１２Ｂ】本開示のいくつかの態様による、局部発振器（ＬＯ）信号が部分合成を制御する位相不均衡調整回路の例示的な実装形態の概略図。
【図１３】[0039]本開示のいくつかの態様による、図１０における実装形態を用いて実行され得る例示的な位相補正を示す図。
【図１４】[0040]本開示のいくつかの態様による、例示的なダブルバランス型ミキサを示す図。
【図１５Ａ】[0041]本開示のいくつかの態様による、様々な例示的な極性および／または利得制御回路を用いる例示的なミキサ実装形態を示す図。
【図１５Ｂ】本開示のいくつかの態様による、様々な例示的な極性および／または利得制御回路を用いる例示的なミキサ実装形態を示す図。
【図１５Ｃ】本開示のいくつかの態様による、様々な例示的な極性および／または利得制御回路を用いる例示的なミキサ実装形態を示す図。
【図１５Ｄ】本開示のいくつかの態様による、様々な例示的な極性および／または利得制御回路を用いる例示的なミキサ実装形態を示す図。
【図１５Ｅ】本開示のいくつかの態様による、様々な例示的な極性および／または利得制御回路を用いる例示的なミキサ実装形態を示す図。
【図１５Ｆ】本開示のいくつかの態様による、様々な例示的な極性および／または利得制御回路を用いる例示的なミキサ実装形態を示す図。
【図１６】[0042]本開示のいくつかの態様による、位相不均衡を補正しようとする直交位相合成および調整のための例示的な動作の流れ図。
【図１７】本開示のいくつかの態様による、位相不均衡を補正しようとする直交位相合成および調整のための例示的な動作の流れ図。
【発明を実施するための形態】
【００２７】
[0043]以下、本開示の様々な態様が説明される。本明細書の教示は多種多様な形態で実施され得ること、および本明細書で開示する特定の構造、機能、またはその両方は代表的なものにすぎないことは明らかであろう。本明細書の教示に基づいて、本明細書で開示する態様は他の態様とは無関係に実装され得ること、およびこれらの態様のうちの２つ以上は様々な方法で組み合わせられ得ることを、当業者なら諒解されたい。たとえば、本明細書に記載の態様をいくつ使用しても、装置は実装され得、または方法は実施され得る。さらに、本明細書に記載の態様のうちの１つまたは複数に加えて、あるいはそれら以外の他の構造、機能、または構造および機能を使用して、そのような装置が実装され得、またはそのような方法が実施され得る。さらに、１つの態様は、１つの請求項の少なくとも１つの要素を備え得る。
【００２８】
[0044]「例示的」という用語は、本明細書においては、「例、例証または実例として働く」ことを意味するべく使用されている。本明細書において「例示的」として説明されている何らかの態様は、必ずしも他の態様よりも好ましい、あるいは他の態様よりも有利な態様として解釈してはならない。
【００２９】
[0045]本明細書で説明する技法は、符号分割多元接続（ＣＤＭＡ）、直交周波数分割多重（ＯＦＤＭ）、時分割多元接続（ＴＤＭＡ）、空間分割多元接続（ＳＤＭＡ）、シングルキャリア周波数分割多元接続（ＳＣ−ＦＤＭＡ）、時分割同期符号分割多元接続（ＴＤ−ＳＣＤＭＡ）などの様々なワイヤレス技術と組み合わせて使用され得る。複数のユーザ端末は、様々な（１）ＣＤＭＡの直交するコードチャネル、（２）ＴＤＭＡのタイムスロット、または（３）ＯＦＤＭのサブバンドによってデータを同時に送信／受信することができる。ＣＤＭＡシステムは、ＩＳ−２０００、ＩＳ−９５、ＩＳ−８５６、Ｗｉｄｅｂａｎｄ−ＣＤＭＡ（Ｗ−ＣＤＭＡ）、または何らかの他の規格を実装することができる。ＯＦＤＭシステムは、電気電子技術者協会（ＩＥＥＥ）８０２．１１（ワイヤレスローカルエリアネットワーク（ＷＬＡＮ））、ＩＥＥＥ８０２．１６（ワールドワイドインターオペラビリティフォーマイクロウェーブアクセス（ＷｉＭＡＸ（登録商標）））、（たとえば、ＴＤＤおよび／またはＦＤＤモードでの）ロングタームエボリューション（ＬＴＥ）、あるいは何らかの他の規格を実装し得る。ＴＤＭＡシステムは、グローバルシステムフォーモバイルコミュニケーションズ（ＧＳＭ（登録商標））規格または何らかの他の規格を実装し得る。これらの様々な規格は当技術分野で知られている。本明細書で説明する技法はまた、グローバルナビゲーション衛星システム（ＧＮＳＳ）、Ｂｌｕｅｔｏｏｔｈ（登録商標）、ＩＥＥＥ８０２．１５（ワイヤレスパーソナルエリアネットワーク（ＷＰＡＮ））、ニアフィールド通信（ＮＦＣ）、スモールセル、周波数変調（ＦＭ）などを含む無線周波数（ＲＦ）技術を使用して様々な他の好適なワイヤレスシステムのいずれかの中に実装され得る。
【００３０】
（例示的なワイヤレスシステム）  
[0046]図１に、アクセスポイントとユーザ端末とをもつワイヤレス通信システム１００を示す。簡単のために、ただ１つのアクセスポイント１１０を図１に示す。アクセスポイント（ＡＰ）は、一般に、ユーザ端末と通信する固定局であり、基地局（ＢＳ）、発展型ノードＢ（ｅＮＢ）、または何らかの他の用語で呼ばれることもある。ユーザ端末（ＵＴ）は、固定または移動であり得、移動局（ＭＳ）、アクセス端末、ユーザ機器（ＵＥ）、局（ＳＴＡ）、クライアント、ワイヤレスデバイス、または何らかの他の用語で呼ばれることもある。ユーザ端末は、セルラー電話、携帯情報端末（ＰＤＡ）、ハンドヘルドデバイス、ワイヤレスモデム、ラップトップコンピュータ、タブレット、パーソナルコンピュータなどのワイヤレスデバイスであり得る。
【００３１】
[0047]アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。システムコントローラ１３０が、アクセスポイントに結合し、アクセスポイントの調整および制御を行う。
【００３２】
[0048]システム１００は、ダウンリンクおよびアップリンク上でのデータ伝送のために複数の送信アンテナおよび複数の受信アンテナを採用する。アクセスポイント１１０は、ダウンリンク送信のための送信ダイバーシティおよび／またはアップリンク送信のための受信ダイバーシティを達成するためにＮap個のアンテナを装備し得る。選択されたユーザ端末１２０のセットＮuは、ダウンリンク送信を受信し、アップリンク送信を送信し得る。各選択されたユーザ端末は、ユーザ固有データをアクセスポイントに送信し、および／またはアクセスポイントからユーザ固有データを受信する。一般に、各々の選択されたユーザ端末は、１つまたは複数のアンテナ（すなわち、Ｎut≧１）を装備し得る。Ｎu個の選択されたユーザ端末は、同じまたは異なる数のアンテナを有することができる。
【００３３】
[0049]ワイヤレスシステム１００は時分割複信（ＴＤＤ）システムまたは周波数分割複信（ＦＤＤ）システムであり得る。ＴＤＤシステムの場合、ダウンリンクとアップリンクは同じ周波数帯域を共有し得る。ＦＤＤシステムの場合、ダウンリンクとアップリンクは異なる周波数帯域を使用する。システム１００はまた、伝送のために単一のキャリアまたは複数のキャリアを利用し得る。各ユーザ端末は、（たとえば、コストを抑えるために）単一のアンテナを装備するか、または（たとえば、追加コストがサポートされ得る場合）複数のアンテナを装備し得る。
【００３４】
[0050]図２に、ワイヤレスシステム１００におけるアクセスポイント１１０と２つのユーザ端末１２０ｍおよび１２０ｘとのブロック図を示す。アクセスポイント１１０は、Ｎap個のアンテナ２２４ａ〜２２４ａｐを備える。ユーザ端末１２０ｍは、Ｎut,m個のアンテナ２５２ｍａ〜２５２ｍｕを装備し、ユーザ端末１２０ｘはＮut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、周波数チャネルを介してデータを送信することが可能な独立動作型の装置またはデバイスであり、「受信エンティティ」は、周波数チャネルを介してデータを受信することが可能な独立動作型の装置またはデバイスである。以下の説明では、下付き文字「ｄｎ」はダウンリンクを示し、下付き文字「ｕｐ」はアップリンクを示し、Ｎup個のユーザ端末がアップリンク上での同時伝送のために選択され、Ｎdn個のユーザ端末がダウンリンク上での同時伝送のために選択され、Ｎupは、Ｎdnに等しいことも等しくないこともあり、ＮupおよびＮdnは、静的な値であり得るか、またはスケジュール間隔ごとに変化することができる。ビームステアリングまたは何らかの他の空間処理技法がアクセスポイントおよびユーザ端末において使用され得る。
【００３５】
[0051]アップリンク上では、アップリンク送信のために選択された各ユーザ端末１２０において、ＴＸデータプロセッサ２８８が、データソース２８６からトラフィックデータを受信し、コントローラ２８０から制御データを受信する。ＴＸデータプロセッサ２８８は、ユーザ端末のために選択されたレートに関連するコーディングおよび変調方式に基づいてユーザ端末のためにトラフィックデータ｛ｄup｝を処理（たとえば、符号化、インターリーブ、および変調）し、Ｎut,m個のアンテナのうちの１つのためのデータシンボルストリーム｛ｓup｝を与える。（無線周波数フロントエンド（ＲＦＦＥ）としても知られる）トランシーバフロントエンド（ＴＸ／ＲＸ）２５４は、アップリンク信号を生成するためにそれぞれのシンボルストリームを受信し、処理（たとえば、アナログ変換、増幅、フィルタ処理、周波数アップコンバート）する。トランシーバフロントエンド２５４はまた、たとえば、ＲＦスイッチを介して送信ダイバーシティのためのＮut,m個のアンテナのうちの１つにアップリンク信号をルーティングし得る。コントローラ２８０は、トランシーバフロントエンド２５４内のルーティングを制御し得る。
【００３６】
[0052]アップリンク上での同時伝送のためにＮup個のユーザ端末がスケジュールされ得る。これらのユーザ端末の各々は、アップリンク上で処理されたシンボルストリームのそれのセットをアクセスポイントに送信する。
【００３７】
[0053]アクセスポイント１１０において、Ｎap個のアンテナ２２４ａ〜２２４ａｐは、アップリンク上で送信するすべてのＮup個のユーザ端末からアップリンク信号を受信する。受信ダイバーシティについて、トランシーバフロントエンド２２２は、処理のために、アンテナ２２４のうちの１つから受信された信号を選択し得る。本開示のいくつかの態様では、複数のアンテナ２２４から受信された信号の合成は、受信ダイバーシティの向上のために合成され得る。アクセスポイントのトランシーバフロントエンド２２２はまた、ユーザ端末のトランシーバフロントエンド２５４によって実行される処理に対して相補的な処理を実行し、復元されたアップリンクデータシンボルストリームを与える。復元されたアップリンクデータシンボルストリームは、ユーザ端末によって送信されたデータシンボルストリーム｛ｓup｝の推定値である。ＲＸデータプロセッサ２４２は、復号データを取得するために、復元されたアップリンクデータシンボルストリームのために使用されたレートに応じてそのストリームを処理（たとえば、復調、デインターリーブ、および復号）する。各ユーザ端末の復号データは、記憶のためにデータシンク２４４に与えられ、および／またはさらなる処理のためにコントローラ２３０に与えられ得る。
【００３８】
[0054]ダウンリンク上では、アクセスポイント１１０において、ＴＸデータプロセッサ２１０は、ダウンリンク送信のためにスケジュールされたＮdn個のユーザ端末についてデータソース２０８からトラフィックデータを受信し、コントローラ２３０から制御データを受信し、場合によってはスケジューラ２３４から他のデータを受信する。様々なタイプのデータが異なるトランスポートチャネル上で送信され得る。ＴＸデータプロセッサ２１０は、各ユーザ端末のために選択されたレートに基づいてそのユーザ端末のトラフィックデータを処理（たとえば、符号化、インターリーブ、および変調）する。ＴＸデータプロセッサ２１０は、Ｎap個のアンテナのうちの１つから送信されるべきＮdn個のユーザ端末のより多くのうちの１つのためのダウンリンクデータシンボルストリームを与え得る。トランシーバフロントエンド２２２は、ダウンリンク信号を生成するために、シンボルストリームを受信し、処理（たとえば、アナログ変換、増幅、フィルタ処理、周波数アップコンバート）する。トランシーバフロントエンド２２２はまた、たとえば、ＲＦスイッチを介して送信ダイバーシティのためのＮap個のアンテナ２２４のうちの１つまたは複数にダウンリンク信号をルーティングし得る。コントローラ２３０は、トランシーバフロントエンド２２２内のルーティングを制御し得る。
【００３９】
[0055]各ユーザ端末１２０において、ＮNut,m個のアンテナ２５２は、アクセスポイント１１０からダウンリンク信号を受信する。ユーザ端末１２０において受信ダイバーシティについて、トランシーバフロントエンド２５４は、処理のために、アンテナ２５２のうちの１つから受信された信号を選択し得る。本開示のいくつかの態様では、複数のアンテナ２５２から受信された信号の合成は、受信ダイバーシティの向上のために合成され得る。ユーザ端末のトランシーバフロントエンド２５４はまた、アクセスポイントのトランシーバフロントエンド２２２によって実行される処理に対して相補的な処理を実行し、復元されたダウンリンクデータシンボルストリームを与える。ＲＸデータプロセッサ２７０は、ユーザ端末のための復号データを取得するために、復元されたダウンリンクデータシンボルストリームを処理（たとえば、復調、デインターリーブ、および復号）する。
【００４０】
[0056]当業者には、本明細書で説明する技法が、概して、ＴＤＭＡ、ＳＤＭＡ、直交周波数分割多元接続（ＯＦＤＭＡ）、ＣＤＭＡ、ＳＣ−ＦＤＭＡ、およびそれらの組合せなどの任意のタイプの多元接続方式を利用するシステムにおいて適用され得ることが認識されよう。
【００４１】
[0057]図３は、本開示のいくつかの態様による、図２中のトランシーバフロントエンド２２２、２５４などの例示的なトランシーバフロントエンド３００のブロック図である。トランシーバフロントエンド３００は、１つまたは複数のアンテナを介して信号を送信するための（送信チェーンとしても知られる）送信（ＴＸ）経路３０２と、アンテナを介して信号を受信するための（受信チェーンとしても知られる）受信（ＲＸ）経路３０４とを含む。ＴＸ経路３０２とＲＸ経路３０４とがアンテナ３０３を共有するとき、経路は、インターフェース３０６を介してアンテナと接続され得、インターフェース３０６は、デュプレクサ、スイッチ、ダイプレクサなどの様々な好適なＲＦデバイスのいずれかを含み得る。
【００４２】
[0058]デジタルアナログ変換器（ＤＡＣ）３０８から同相（Ｉ）または直交位相（Ｑ）ベースバンドアナログ信号を受信するとき、ＴＸ経路３０２は、ベースバンドフィルタ（ＢＢＦ）３１０と、ミキサ３１２と、ドライバ増幅器（ＤＡ）３１４と、電力増幅器３１６とを含み得る。ＢＢＦ３１０と、ミキサ３１２と、ＤＡ３１４とは、無線周波数集積回路（ＲＦＩＣ）中に含まれ得るが、ＰＡ３１６は、しばしば、ＲＦＩＣの外部にあり得る。ＢＢＦ３１０は、ＤＡＣ３０８から受信されたベースバンド信号をフィルタ処理し、ミキサ３１２は、注目するベースバンド信号を異なる周波数に変換する（たとえば、ベースバンドからＲＦにアップコンバートする）ためにフィルタ処理されたベースバンド信号を送信局部発振器（ＬＯ）信号と混合する。この周波数変換プロセスは、ＬＯ周波数と注目する信号の周波数との和および差周波数を生成する。和および差周波数は、ビート周波数と呼ばれる。ビート周波数は、一般に、ＲＦ範囲内にあり、したがって、ミキサ３１２によって出力される信号は、一般に、ＲＦ信号であり、ＤＡ３１４によって増幅され、アンテナ３０３による送信の前にＰＡ３１６によって増幅される。
【００４３】
[0059]ＲＸ経路３０４は、低雑音増幅器（ＬＮＡ）３２２と、ミキサ３２４と、ベースバンドフィルタ（ＢＢＦ）３２６とを含む。ＬＮＡ３２２、ミキサ３２４、およびＢＢＦ３２６は、ＴＸ経路構成要素を含む同じＲＦＩＣであることも、そうでないこともある無線周波数集積回路（ＲＦＩＣ）中に含まれ得る。アンテナ３０３を介して受信されるＲＦ信号は、ＬＮＡ３２２によって増幅され得、ミキサ３２４は、注目するＲＦ信号を異なるベースバンド周波数に変換する（すなわち、ダウンコンバートする）ために、増幅されたＲＦ信号を受信局部発振器（ＬＯ）信号と混合する。ミキサ３２４によって出力されたベースバンド信号は、デジタル信号処理のためにデジタルＩまたはＱ信号にアナログデジタル変換器（ＡＤＣ）３２８によって変換される前に、ＢＢＦ３２６によってフィルタ処理され得る。
【００４４】
[0060]ＬＯの出力が周波数の点で安定したままであることが望ましいが、異なる周波数に調整することは、可変周波数発振器を使用することを示し、これは、安定性と同調性との間に妥協を伴う。現代のシステムは、特定の調整範囲をもつ安定した、同調可能なＬＯを生成するために、電圧制御発振器（ＶＣＯ）をもつ周波数シンセサイザを採用する。したがって、送信ＬＯは、一般に、ＴＸ周波数シンセサイザ３１８によって生成され、送信ＬＯは、ミキサ３１２中でベースバンド信号と混合される前に、増幅器３２０によってバッファまたは増幅され得る。同様に、受信ＬＯは、一般に、ＲＸ周波数シンセサイザ３３０によって生成され、受信ＬＯは、ミキサ３２４中でＲＦ信号と混合される前に、増幅器３３２によってバッファまたは増幅され得る。送信ＬＯ（および／または受信ＬＯ）は、たとえば、ＶＣＯ信号を整数値で周波数分割することによって、または、ＶＣＯ周波数をＬＯ周波数に変換するＬＯ生成回路を使用することによって生成され得る。例示的なＬＯ生成回路は、その全体が参照により本明細書に組み込まれる「Ｌｏｃａｌ  Ｏｓｃｉｌｌａｔｏｒ  Ｌｅａｋａｇｅ  Ｃｏｎｔｒｏｌ  ｉｎ  Ｄｉｒｅｃｔ  Ｃｏｎｖｅｒｓｉｏｎ  Ｐｒｏｃｅｓｓｅｓ」と題する、２００１年１２月１０日に出願された、Ｐｅｔｅｒｚｅｌｌらに対する米国特許第６，９６０，９６２号において見つけられ得る。図３には示されていないが、送信ＬＯ（または、受信ＬＯ）周波数分割または生成回路がＴＸ周波数シンセサイザ３１８（またはＲＸ周波数シンセサイザ３３０）内に存在することを当業者ならば理解されよう。
【００４５】
（例示的な直交位相合成および調整）  
[0061]無線周波数（ＲＦ）信号を送信するワイヤレス通信システムは、一般に、同相（Ｉ）および直交位相（Ｑ）成分を利用し、ここで、Ｑ成分は、Ｉ成分と約９０°位相がずれている。理想的には、Ｉ成分とＱ成分との間に位相不一致がないことになり、したがって、Ｑ成分が、Ｉ成分と正確に９０°位相がずれている。図４Ａのベクトル図４００に、この理想的な状況が示されており、ここで、「Ｐ」および「Ｍ」は、正および負の差動信号を表す。したがって、ベクトルＱＰは、差動Ｑ信号の＋Ｑ信号の利得および位相を表し、一方、ベクトルＱＭは、−Ｑ信号の利得および位相を表す。同様に、ベクトルＩＰは、差動Ｉ信号の＋Ｉ信号の利得および位相を表し、一方、ベクトルＩＭは、−Ｉ信号の利得および位相を表す。
【００４６】
[0062]しかしながら、一般に、図４Ｂのベクトル図４１０に示すようにＩ成分とＱ成分との間に何からの位相不均衡（理想的な９０°より多いまたはそれより少ない）があり、したがって、残留側波帯（ＲＳＢ）が増加する（すなわち、イメージリジェクションが悪化する）。そのような位相不均衡は、現実世界のＲＦ回路ではよくあり、回路構成要素（たとえば、トランジスタ、抵抗器、およびキャパシタ）がＩ経路とＱ経路との間で完全に一致していないときに発生する。
【００４７】
[0063]ＲＳＢ位相誤差を除去しようとして、ＩまたはＱの局部発振器（ＬＯ）および／あるいはベースバンド（ＢＢ）のいずれかは、図４Ｃのベクトル図４２０に示すように、単信位相不均衡補正において（たとえば、ミキサによって生成されたＩまたはＱベースバンド信号に意図的な遅延をもたらすことによって）位相シフトされ得、ここで、たとえば、ＩＰ／ＩＭ信号は、実線４２２から点線４２４に調整される。ただし、この単信補正は、点線４２４によって示されるように、振幅誤差をもたらし得、ここで、調整されたＩＰ／ＩＭ信号は、ＱＰ／ＱＭ信号よりも小さい振幅を有する。
【００４８】
[0064]したがって、振幅誤差をもたらさない改善されたＲＳＢ位相誤り較正のための技法および装置が必要とされる。
【００４９】
（補助ミキサを使用した位相調整）  
[0065]本開示のいくつかの態様は、ベースバンド（ＢＢ）ＩおよびＱ成分の位相不均衡を補正しようとしてワイヤレス通信デバイスのＲＦＦＥ中のＩおよびＱミキサの出力において位相不均衡調整を実行する。いくつかの態様では、この調整は、従来のＩおよびＱミキサと併せて補助ミキサを使用して実行され得る。
【００５０】
[0066]図５に、本開示の一態様による、補助ミキサ５０２、５０４を使用する例示的な概念上の位相不均衡調整回路５００を示す。上から下まで、図５に、Ｉ補助ミキサ５０２、Ｉミキサ５０６、Ｑミキサ５０８、およびＱ補助ミキサ５０４を示す。２つの補助ミキサ５０２、５０４は、部分Ｑ出力（たとえば、Ｑ補助ミキサによって出力された信号の利得の何分の１か）をＩ出力と合成（たとえば、電流合成）し、部分Ｉ出力をＱ出力と合成するために使用される。この例では、Ｉ補助ミキサ５０２の出力の１／１６が、Ｑミキサ５０８の出力と（たとえば、電流加算を介して）合成され、Ｑ補助ミキサ５０４の出力の１／１６が、Ｉミキサ５０６の出力と合成される。本開示のいくつかの態様は、補助ミキサ５０２、５０４の出力の任意の好適な一部分を使用し得、１／１６という割合に限定されない。このようにしてＩおよびＱミキサ出力を合成することによって、図４Ｄのベクトル図４３０に示すように、複信位相不均衡調整が達成され得る。複信位相不均衡調整を用いて、ＩＰ／ＩＭおよびＱＰ／ＱＭ差動信号ペアの両方の位相が、実線４３１、４３２から、それぞれ、点線４３３、４３４に調整される。
【００５１】
[0067]図６Ａは、本開示の一態様による、差動信号を使用する図５の位相不均衡調整回路５００の例示的な実装形態の概略図である。通常のＩおよびＱミキサ６０６、６０８は、太字の混合段階によって示されており、一方、補助のＩおよびＱミキサ６０２、６０４は、細字の重ねられた混合段階によって表されている。通常のＩおよびＱミキサ６０６、６０８と補助のＩおよびＱミキサ６０２、６０４とは、シングルバランス型ミキサまたはダブルバランス型ミキサであり得る。通常のＩおよびＱミキサ６０６、６０８と補助のＩおよびＱミキサ６０２、６０４とは、本明細書で説明するミキサ、およびその全体が参照により本明細書に組み込まれる、２００８年１月７日に出願された、「Ｑｕａｄｒａｔｕｒｅ  Ｒａｄｉｏ  Ｆｒｅｑｕｅｎｃｙ  Ｍｉｘｅｒ  ｗｉｔｈ  Ｌｏｗ  Ｎｏｉｓｅ  ａｎｄ  Ｌｏｗ  Ｃｏｎｖｅｒｓｉｏｎ  Ｌｏｓｓ」と題する、Ｃｉｃａｌｉｎｉに対する米国特許第８，０７２，２５５号に記載されているミキサなど、ミキサ出力信号をスケーリングすることを可能にする任意のミキサ構造を用いて実装され得る。さらに、通常のＩおよびＱミキサ６０６、６０８と補助のＩおよびＱミキサ６０２、６０４とは、許容可能な雑音および変換利得を与えるデューティサイクルなどの任意の好適なデューティサイクルでＬＯ信号を受信し得る。たとえば、ミキサは、名目２５％、名目２５％をわずかに上回る％、または名目５０％のデューティサイクルのＩおよびＱ  ＬＯ信号を用いて実装され得る。
【００５２】
[0068]「Ｘ」ボックスは、極性および／または利得制御回路６１０を表し、したがって、補助のＩおよびＱミキサ６０２、６０４の差分出力は、振幅調整および／または（２つの差動信号線を事実上スワップすることによって）位相反転され得る。極性および／または利得制御回路６１０の分解図に、例示的なデバイス（たとえば、可変抵抗と組み合わされ得るか、あるいは三極管領域で動作するトランジスタ６１２と組み合わされ得るかまたはそれを用いて実装され得るスイッチ）と、極性および／または利得制御を実装するための接続とを示す。極性および／または利得制御回路６１０のより詳細な例について以下で説明する。
【００５３】
[0069]入力ＲＦ信号（ＲＦｉｎ）は、低雑音増幅器（ＬＮＡ）６２２によって増幅、バッファ、または減衰され得る。ＬＮＡ６２２は、入力電圧を受信し、出力電流を生成するように構成されたトランスコンダクタンス増幅器であり得る。ＬＮＡ６２２は、シングルエンド信号または差動信号を出力し得る。ＬＮＡ６２２の出力が、図６Ａに示す差動信号である場合、通常のＩおよびＱミキサ６０６、６０８と補助のＩおよびＱミキサ６０２、６０４とは、ダブルバランス型ミキサである可能性が最も高くなり得る。しかしながら、ＬＮＡ６２２の出力がシングルエンド信号である場合、通常および補助のＩおよびＱミキサはシングルバランス型ミキサである可能性が最も高くなり得る。
【００５４】
[0070]ＬＮＡ６２２からの出力信号は、通常のＩミキサ６０６に入力される２つの信号の和および差にある周波数成分を有する出力同相信号（Ｉ＿ｏｕｔ）を生成するために、同相ＬＯ（ＬＯ＿Ｉ）と通常のＩミキサ６０６によって混合され得る。同様に、ＬＮＡ６２２からの出力信号はまた、通常のＱミキサ６０８に入力される２つの信号の和および差にある周波数成分を有する出力直交位相信号（Ｑ＿ｏｕｔ）を生成するために、直交位相ＬＯ（ＬＯ＿Ｉと９０°位相がずれている、ＬＯ＿Ｑ）と通常のＱミキサ６０８によって混合され得る。さらに、補助Ｉミキサ６０２は、ＬＮＡ６２２からの出力信号をＬＯ＿Ｉと混合し得、出力混合信号は、Ｑ＿ｏｕｔを形成するために、通常のＱミキサ６０８の出力と合成される。いくつかの態様では、極性および／または利得制御回路６１０は、通常のＱミキサ６０８の出力と合成する前に、補助Ｉミキサ６０２からの出力信号を反転するおよび／または減衰させるために使用され得る。同様に、補助Ｑミキサ６０４は、ＬＮＡ６２２からの出力信号をＬＯ＿Ｑと混合し得、この出力混合信号は、Ｉ＿ｏｕｔを形成するために、通常のＩミキサ６０６の出力と合成される。いくつかの態様では、極性および／または利得制御回路６１０は、通常のＩミキサ６０６の出力と合成する前に、補助Ｑミキサ６０４からの出力信号を反転する、および／または減衰させるために使用され得る。このようにして、補助ミキサ６０２、６０４は、図４Ｄに示すように、複信位相不均衡調整を達成するために使用され得る。いくつかの態様では、通常および補助のミキサからの信号の合成は、それぞれの信号の電流加算のための加算ノード６１４において行われ得る。
【００５５】
[0071]いくつかの態様では、図６Ａに示す補助ミキサ６０２、６０４は、図６Ｂに示すように、固定および可変補助ミキサを備え得る。固定補助ＩおよびＱミキサ６０２ａ、６０４ａは、通常のＱおよびＩミキサ６０８、６０６によってそれぞれ生成されたＱおよびＩベースバンド信号（たとえば、Ｑ＿ｏｕｔおよびＩ＿ｏｕｔ）に定位相を加算し得る。対照的に、可変補助ＩおよびＱミキサ６０２ｂ、６０４ｂは、調整可能であり、したがって、ＲＳＢは、可変ミキサ中のトランジスタのゲート電圧を変化させることによって補正（または少なくとも低減）され得る。固定補助ミキサ６０２ａ、６０４ａは、Ｉ＿ｍａｉｎおよびＱ＿ｍａｉｎ軸全体の位相を同じ量だけ回転する効果を有する。これを、図６Ｂ中の簡略２ベクトル図６５０に示す。ＩＢ＿ｆｉｘ＿ａｕｘの位相シフトは、Ｑ＿ｆｉｘ＿ａｕｘのシフトに等しく、コンスタレーション全体（ここで、Ｑ＿ｍａｉｎベクトルおよびＩ＿ｍａｉｎベクトル）を反時計回りに回転させる。ＩＢ＿ｆｉｘ＿ａｕｘおよびＱ＿ｆｉｘ＿ａｕｘの位相シフトの大きさおよび角度方向は、図６Ｂによって限定されないことを理解されたい。固定成分（ＩＢ＿ｆｉｘ＿ａｕｘおよびＱ＿ｆｉｘ＿ａｕｘ）とは対照的に、可変成分（ＩＢ＿ｖａｒ＿ａｕｘおよびＱ＿ｖａｒ＿ａｕｘ）は、単独で制御され得、位相不均衡を補正（または少なくとも低減）するためにＩ＿ｍａｉｎおよびＱ＿ｍａｉｎベクトルを異なる量だけ回転し得る。図６Ｂ中の簡略フェーザ例に、図６Ｂの対応する回路中でのミキサ出力接続に一致して、ＩＢ＿ｆｉｘ＿ａｕｘおよびＱ＿ｆｉｘ＿ａｕｘに加算されるＩＢ＿ｖａｒ＿ａｕｘおよびＱ＿ｖａｒ＿ａｕｘを示す。ただし、ＩＢ＿ｖａｒ＿ａｕｘおよびＱ＿ｖａｒ＿ａｕｘは、可変補助ＩおよびＱミキサ６０２ｂ、６０４ｂへの極性制御の加算を用いてどちらの角度方向にも調整され得る。ＩＢ＿ｖａｒ＿ａｕｘおよびＱ＿ｖａｒ＿ａｕｘからの調整の大きさが、図６Ｂによって限定されず、調整回路なしにＩ＿ｍａｉｎおよびＱ＿ｍａｉｎ信号経路でのオフセットを補正するように設定され得ることを理解されたい。図４Ｄは、図６Ｂの回路で可能な補正のより完全な例示的なベクトル表現である。
【００５６】
[0072]図７は、本開示の一態様による、補助ミキサを使用する位相不均衡調整を概念的に示し、関連する信号式を提示するブロック図である。ＲＦ信号７０２は、Ｉミキサ６０６への入力およびＱミキサ６０８への入力として与えられ得る。補助分岐では、信号の振幅（α／２）は、通常のミキサの出力の何分の１かであり得る。言い換えれば、補助ミキサ６０２、６０４（またはより詳細には、補助ミキサ中に実装されるかまたはそれと接続される利得制御回路７０４、７０６）は、別のミキサからの出力と合成すべき部分信号を出力し得る。たとえば、図示のように、Ｑミキサ６０８からの出力７０８が、補助Ｉミキサ６０２からの部分出力７１０と合成（たとえば、加算）され得、Ｉミキサ６０６からの出力７１２が、補助Ｑミキサ６０４からの部分出力７１４と合成され得る。これらの信号合成７１６、７１８は、それぞれ、ＱおよびＩベースバンド（ＢＢ）回路７２０、７２２（たとえば、ＢＢフィルタ）中で処理され、それによって、図７に示す関連する式を備える位相補正同相出力（ＰＣＩＯ：phase-corrected quadrature output）信号および位相補正直交位相出力（ＰＣＱＯ：phase-corrected quadrature output）信号をもたらし得る。
【００５７】
[0073]図８に、本開示の一態様による、図６Ａにおける実装形態に対応する複信Ｉ／Ｑ位相不均衡調整の一例を示す。図８に示す式によれば、ＰＣＩＯは、位相補正Ｉ出力を表し、ＰＣＱＯは、位相補正Ｑ出力を表す。この複信位相不均衡調整は、最小限の振幅変更を伴うか、または振幅変更を伴わないことがある。Δ（ミキサおよびＬＯ  ＩおよびＱ位相不均衡とベースバンド入力換算位相不均衡との合成）が十分小さい値である場合、ｃｏｓ（Δ／２）の値は１になり得る。図示のように、α＝２ｔａｎ（Δ／２）による振幅低下があり得る。
【００５８】
[0074]図９は、本開示の一態様による、補助ミキサ６０２、６０４を使用する位相不均衡調整回路をもつ例示的なＲＦフロントエンド（ＲＦＦＥ）９００の概略図である。低雑音トランスコンダクタンス増幅器６２２は、主および補助ミキサに先行し得、ＲＦ入力を増幅するために使用され得る。主および補助ミキサは、シングルバランス型ミキサまたはダブルバランス型ミキサであり得る。ミキサ出力は、Ｉ−Ｑ合成回路９０２に与えられ得、ここで、Ｘボックスは、上記で説明したように、極性および／または利得制御回路６１０を表す。１つまたは複数の制御線９０３は、その中の構成要素を制御する（たとえば、トランジスタ６１２のオン抵抗を調整するか、可変抵抗器（たとえば、加減抵抗器）の抵抗を変更するか、またはスイッチの動作を制御する）ために極性および／または利得制御回路６１０に接続され得る。オプションとして、電流モードフィルタ９０４、９０６（たとえば、ベースバンドフィルタ）は、ミキサ６０２、６０４、６０６、６０８およびＩ−Ｑ合成回路９０２によって出力されたベースバンド信号をフィルタ処理するために使用され得る。電流モードフィルタ９０４、９０６は、ベースバンド（ローパス）フィルタ処理のための、抵抗器、キャパシタ、およびインダクタの任意の好適な組合せを用いて実装され得る。混合された（およびオプションとしてフィルタ処理された）信号は、追加のベースバンド処理のために電流モードベースバンド信号を電圧モードベースバンドＩおよびＱ信号に変換するために、トランスインピーダンス増幅器９０８、９１０に与えられ得る。
【００５９】
（直交位相ミキサ出力の部分合成による位相調整）  
[0075]図１０は、本開示の一態様による、（たとえば、上記で説明した補助ミキサ６０２、６０４なしに）直交位相ミキサ出力信号の部分合成を使用する位相不均衡調整回路をもつ例示的なＲＦＦＥ１０００の概略図である。主および補助ミキサの機能は、図１０において効果的に組み合わされ得、したがって、通常のＩおよびＱミキサ６０６、６０８はＲＦ入力を受信し、ＲＦ入力は、オプションの低雑音トランスコンダクタンス増幅器６２２によって増幅され得る。増幅器６２２からのシングルエンド出力信号が、図１０に示すようにシングルバランス型ミキサと接続されるが、増幅器６２２の出力は、代わりに、差動信号であり得、その場合、ダブルバランス型ミキサが使用され得る。ミキサ出力は、図示のように接続されたＩ−Ｑ合成回路１００２に与えられ得、ここで、Ｘボックスは、上記で説明したように、極性および／または利得制御回路６１０を表す。いくつかの態様では、極性および／または利得制御回路６１０の一方または他方が含まれ得る（すなわち、Ｘボックスのうちの１つはオプションである）。オプションの電流モードフィルタ９０４、９０６を使用してフィルタ処理され得る合成ベースバンド出力は、追加の処理のために電流モード信号を電圧モード信号（たとえば、ベースバンドＩおよびＱ信号）に変換するためにトランスインピーダンス増幅器９０８、９１０に与えられ得る。
【００６０】
[0076]いくつかの態様では、極性および／または利得制御回路６１０は、４つのトランジスタを用いて実装され、トランジスタの各ドレインおよびソースは、ＬＯＩＰ、ＬＯＩＭ、ＬＯＱＰ、およびＬＯＱＭの４つの組合せのうちの異なる１つの間に接続され得る。各ミキサ信号線とトランジスタのドレインまたはソースとの間に抵抗器があり、合計８つの直列抵抗器があり得る。
【００６１】
[0077]図１１は、本開示の一態様による、補助ミキサを使用しない位相不均衡調整を概念的に示し、関連する信号式を提示するブロック図である。ＲＦ信号は、Ｉミキサ６０６への入力およびＱミキサ６０８への入力として与えられ得る。１つのミキサの出力信号の振幅（α／２）の何分の１かが、別のミキサからの出力信号と合成され得る。たとえば、図示のように、Ｑミキサ６０８からの出力１１０２が、Ｉミキサ６０６からの部分出力１１０４と合成（たとえば、加算）され得、Ｉミキサ６０６からの出力１１０６が、Ｑミキサ６０８からの部分出力１１０８と合成され得る。これらの信号合成は、図１１に示す関連する式を備えるＰＣＩＯおよびＰＣＱＯ信号をもたらす。
【００６２】
[0078]図１２Ａおよび図１２Ｂは、本開示の態様による、直交位相ミキサ出力信号の部分合成を使用する位相不均衡調整回路の例示的な実装形態の概略図である。図１２Ａでは、ダブルバランス型ミキサが示されており、局部発振器信号ＬＯ＿ＩおよびＬＯ＿Ｑが、極性および／または利得制御回路６１０中のトランジスタ１２０２のゲートと接続されており、したがって、部分合成のタイミングが同期される。いくつかの態様では、ＬＯ＿Ｉ＋およびＬＯ＿Ｉ−は、図１２Ａに示すものから極性および／または利得制御回路６１０中で交換され得る。同様に、ＬＯ＿Ｑ＋およびＬＯ＿Ｑ−はまた、他の極性および／または利得制御回路６１０中で交換され得る。
【００６３】
[0079]いくつかの態様では、ＬＯ＿Ｉ＋およびＬＯ＿Ｉ−（ならびに／またはＬＯ＿Ｑ＋およびＬＯ＿Ｑ−）を交換することは、トランジスタ１２０２のゲートと様々な差動直交位相ＬＯ信号との間にマルチプレクサ（すなわち、ｍｕｘ）を配置することによって達成され得る。ｍｕｘを採用することによって、＋／−ＬＯ接続がスワップされ得る。
【００６４】
[0080]いくつかの態様では、結合（すなわち、部分合成）の量は、より多いまたはより少ないトランジスタ１２０２をアクティブ化することによって制御され得る。アクティブ化されるトランジスタ１２０２の数がより多い場合、結合の量が増加し、その逆も同様である。各トランジスタ１２０２のアクティブ化は、ＬＯ駆動経路中のバッファをオンまたはオフすることによって達成され得る。バッファがオンである場合、トランジスタ１２０２はアクティブ化され得、一方、バッファがオフである場合、トランジスタは非アクティブ化され得る。
【００６５】
[0081]図１２Ａ中の回路はまた、電流バッファバイカッド（ＣＢＢＱ：current buffer biquad）１２０４を含み、ＣＢＢＱ１２０４は、低インピーダンス入力を有するベースバンドフィルタであり得、２次ベースバンド転送機能を提供する。いくつかの態様では、ＣＢＢＱ１２０４は、図９および図１０に示すように、オプションの電流モードフィルタ処理によって先行され得るか、またはオプションの電流モードフィルタ処理を用いるトランスインピーダンス増幅器と置き換えられ得る。
【００６６】
[0082]図１２Ｂは、シングルバランス型ミキサを用いる例示的な実装形態の概略図である。この実装形態では、ＬＮＡ６２２の出力は、シングルエンドであり得、ＡＣ結合キャパシタ１２０６は、ＬＮＡ６２２のシングルエンド出力を通常のＩおよびＱミキサ６０６、６０８に結合するために使用される。ただし、他の態様では、ＬＮＡ＿Ｉ＋およびＬＮＡ＿Ｑ＋信号が同じ振幅および位相を有するので、単一の共通のキャパシタが代わりに使用され得る。ミキサ出力において、Ｉは、ＩｔｏＱ／ＩＢｔｏＱＢ制御信号によって制御される合成経路を通してＱに結合され得る（ＩＢは、ＱＢに結合され得る）。代替的に、Ｉは、ＩｔｏＱＢ／ＩｂｔｏＱ制御信号によって制御される合成経路を通してＱＢに結合され得る（ＩＢは、Ｑに結合され得る）。結合経路が、抵抗器とトランジスタとの複数のセットとして並列に実装される場合、結合の強度は、制御信号によって使用可能にされるトランジスタの数を制御することによって変更され得る。さらに、ＩおよびＱミキサ出力に対する利得制御は、（ＩｔｏＩＢ制御信号によって制御される）ＩｔｏＩＢ結合経路によって、および（ＱｔｏＱＢ制御信号によって制御される）ＱｔｏＱＢ結合経路によって与えられ得る。図１２Ａの場合と同様に、ＣＢＢＱ１２０４は、図９および図１０に示すように、オプションの電流モードフィルタ処理によってオプションとして先行され得るか、または電流モードフィルタ処理とトランスインピーダンス増幅器（ＴＩＡ）との任意の組合せによって置き換えられ得る。
【００６７】
[0083]図１３に、図１０中のＲＦＦＥ１０００またはそれらの実装形態などにおける、直交位相ミキサ出力信号の部分合成を使用する位相不均衡調整回路によって実行され得る可能なＩ−Ｑ補正の一例を示す。図示のように、ＩＰ／ＩＭとＱＰ／ＱＭとの間の角度１３０２が増加または減少され得、ここで、ＩおよびＱが一緒に調整される。ＩおよびＱは、図９中のＲＦＦＥ９００またはそれらの実装形態など、補助ミキサを使用する位相不均衡調整回路とは対照的に、この実装形態では単独で制御されないことがある。図１３における補正は、以下の式によって要約され得る。
【数１】
2017513278.tif 000003
および
【数２】
2017513278.tif 000004
ここで、αは、たとえば、両端値を含む−１０％と１０％との間になる。しかしながら、直交位相ミキサ出力信号の部分合成が、図１２Ａに関して説明した時間同期を用いて実装される場合、補助ミキサを使用する位相不均衡調整の場合のように、ＱからＩへのおよびＩからＱへの結合の独立した制御を実装することが可能になり得る。
【００６８】
（例示的なミキサ実装形態）  
[0084]図１４に、本開示の態様による、主または補助ミキサとして、位相不均衡調整回路中でミキサとして使用され得る例示的なダブルバランス型ミキサ１４００を示す。ミキサ１４００のトランジスタ１４０２は、差動ＲＦ信号（ＲＦ  ＩｎＰおよびＲＦ  ＩｎＭ）を（ＬＯＩＰおよびＬＯＩＭから構成される差動Ｉ  ＬＯ信号などの）差動ＬＯ信号と混合し得る。混合は、差動ＲＦおよびＬＯ信号の和および差周波数にある周波数成分を有する差動（ベースバンド）出力信号（ＢＢＩＰおよびＢＢＩＭ）を生成する。
【００６９】
[0085]補助ミキサトランジスタのチャネルの長さに対する幅の比率（Ｗ／Ｌ）は、主ミキサトランジスタのＷ／Ｌより小さくなり得る。たとえば、補助ミキサトランジスタのＷ／Ｌは、主ミキサトランジスタのＷ／Ｌより１０〜１００倍の間で小さくなり得る（たとえば、補助ミキサトランジスタの０．３〜３に対して主ミキサトランジスタの３０のＷ／Ｌ）。補助ミキサは、所望の位相不均衡補正を与えるように任意の好適なサイズに設計され得、前の例に限定されない。
【００７０】
[0086]図１５Ａ〜図１５Ｆに、本開示の態様による、様々な例示的な極性および／または利得制御回路６１０を用いる例示的なミキサ実装形態を示す。図１５Ａでは、補助ミキサ１５０２は、（４つのトランジスタ１５０５から構成される）極性制御回路１５０４とデジタル利得制御回路１５０６とへの入力を与える。実効補助ミキサ利得（すなわち、補助ミキサと極性および／または利得制御回路とを通した全体的な利得）は、たとえば、使用可能にされる並列のトランジスタ１５０７の数Ｎを（デジタル的に）制御することによって制御され得る。極性および利得制御回路１５０４、１５０６の順序は交換可能である。
【００７１】
[0087]図１５Ｂに、図１５Ａのデジタル利得制御回路１５０６とは対照的に、極性制御回路１５０４とアナログ利得制御回路１５１０とへの入力与える補助ミキサ１５０２を示す。実効補助ミキサ利得は、たとえば、利得制御トランジスタのＲds(on)を制御し得る、利得制御トランジスタ１５１１上のゲートバイアスを制御することによって制御され得る。極性および利得制御回路１５０４、１５１０の順序は交換可能である。いくつかの態様では、デジタル利得制御回路１５０６は、アナログ利得制御回路１５１０といずれかの順序でカスケード接続され得る。
【００７２】
[0088]図１５Ｃに、図１５Ｂと同様の、利得制御回路１５２０中の利得制御トランジスタ１５１１の代わりに可変抵抗器１５２１を使用する例示的な回路を示す。可変抵抗は、たとえば、制御線Ｖｃｎｔｒｌ＿ｒｅｓを介してアナログまたはデジタル制御され得る。
【００７３】
[0089]いくつかの態様では、極性および利得制御はマージされ得る。たとえば、図１５Ｄに、図１５Ａと同様の、極性および利得制御が、補助ミキサ１５０２と接続された選択的に使用可能にされる並列トランジスタ１５３１の４つのグループにマージされる例示的な回路１５３０を示す。デジタル制御線は、各グループ中のＮ個のトランジスタの様々な組合せを選択するために使用され得る。デジタル論理（たとえば、論理ゲート１５３５）はまた、回路１５３０の極性および／または利得を効果的に制御するために使用され得る。
【００７４】
[0090]図１５Ｅに、図１５Ｂに示した回路と同様だが、極性および利得制御が４つのトランジスタ１５４１にマージされる例示的な回路１５４０を示す。いくつかの態様では、極性および／または利得を制御するためのバイアス信号を作成するために、トランスミッションゲート１５４５（たとえば、インバータおよびアナログデマルチプレクサ）が使用され得る。
【００７５】
[0091]図１５Ｆに、図６Ｂの可変補助ミキサ６０２ｂ、６０４ｂを実装するために使用され得る例示的な回路１５５０を示す。ここで、極性は、（プラスおよびマイナス信号によって制御されるスイッチまたはトランジスタ１５５２を使用して）ＬＯ信号極性を選択的にスワップすることによって制御され、利得は、制御線Ｖｂｉａｓ＿ｇａｉｎを使用して補助ミキサトランジスタ１４０２のゲート上のＤＣバイアス１５５４を制御することによって制御される。
【００７６】
[0092]図１６に、本開示のいくつかの態様による、位相不均衡を補正しようとする直交位相合成および調整のための例示的な動作１６００を示す。動作１６００は、処理システムによって制御され得る、図６Ａまたは図９において描写した回路などの位相不均衡調整回路によって実行され得る。動作１６００は、ブロック１６０２において始まり、第１の周波数変換信号を生成するために、ＲＦ信号に第１のローカル発振信号を乗じ得る。ブロック１６０４において、回路は、第２の周波数変換信号を生成するために、ＲＦ信号に第２のローカル発振信号を乗じ得る。第２のローカル発振信号は、第１のローカル発振信号に対して約９０°位相がずれていることがある。ブロック１６０６において、ＲＦ信号が、第３の周波数変換信号を生成するために、第２のローカル発振信号を乗じられる。ブロック１６０８において、ＲＦ信号が、第４の周波数変換信号を生成するために、第１のローカル発振信号を乗じられる。ブロック１６１０において、第１および第３の周波数変換信号が合成される。ブロック１６１２において、第２および第４の周波数変換信号が合成される。
【００７７】
[0093]いくつかの態様によれば、動作１６００は、ブロック１６１０において、第１および第３の周波数変換信号を合成する前に、第１の周波数変換信号の何分の１かである振幅を有するように第３の周波数変換信号をスケーリングすることと、ブロック１６１２において、第２および第４の周波数変換信号を合成する前に、第２の周波数変換信号の何分の１かである振幅を有するように第４の周波数変換信号をスケーリングすることとをさらに伴い得る。第３または第４の周波数変換信号のうちの少なくとも１つのスケーリングはプログラム可能であり得る。いくつかの態様では、動作１６００は、第３または第４の周波数変換信号のうちの少なくとも１つの位相を反転させることをさらに含み得る。この位相反転は、プログラム可能であり得る。
【００７８】
[0094]いくつかの態様によれば、ブロック１６１０において第１および第３の周波数変換信号を合成することと、ブロック１６１２において第２および第４の周波数変換信号を合成することとは、加算ノードにおいてそれぞれの信号を電流加算することを伴い得る。
【００７９】
[0095]いくつかの態様によれば、ブロック１６０６および／またはブロック１６０８において第３または第４の周波数変換信号のうちの少なくとも１つを生成するために乗じることは、プログラム可能である。
【００８０】
[0096]いくつかの態様によれば、第１および第２のローカル発振信号と、第１、第２、第３、および第４の周波数変換信号とは、差動信号である。ＲＦ信号は、差動信号またはシングルエンド信号であり得る。
【００８１】
[0097]いくつかの態様によれば、動作１６００は、トランスコンダクタンス増幅器からＲＦ信号を受信することをさらに含み得る。
【００８２】
[0098]いくつかの態様によれば、第１および第２のローカル発振信号または第１および第２の混合回路のうちの少なくとも一方の間の位相不均衡は、第１および第３の周波数変換信号の合成されたものにおいておよび第２および第４の周波数変換信号の合成されたものにおいて補正済みである。
【００８３】
[0099]いくつかの態様によれば、動作１６００は、第１のベースバンド回路中で第１および第３の周波数変換信号の合成されたものを処理することと、第２のベースバンド回路中で第２および第４の周波数変換信号の合成されたものを処理することとをさらに含み得る。この場合、第１および第２のベースバンド回路の間の振幅不均衡および位相不均衡は、第１および第３の周波数変換信号の合成されたものにおいて、および第２および第４の周波数変換信号の合成されたものにおいて補正済みであるかまたは少なくとも調整済みであり得る。
【００８４】
[0100]図１７に、本開示のいくつかの態様による、位相不均衡を補正しようとする直交位相合成および調整のための例示的な動作１７００を示す。動作１７００は、処理システムによって制御され得る、図１０に示した回路などの位相不均衡調整回路によって実行され得る。動作１７００は、ブロック１７０２において始まり得、無線周波数（ＲＦ）信号が、第１の周波数変換信号（たとえば、Ｉ＿ｏｕｔ信号）を生成するために、第１のローカル発振信号（たとえば、ＬＯ＿Ｉ信号）を乗じられ得る。ブロック１７０４において、ＲＦ信号は、第２の周波数変換信号（たとえば、Ｑ＿ｏｕｔ信号）を生成するために、第２のローカル発振信号（たとえば、ＬＯ＿Ｑ信号）を乗じられ得、ここにおいて、第２のローカル発振信号は、第１のローカル発振信号に対して約９０°位相がずれている。ブロック１７０６において、第１の周波数変換信号は、第２の周波数変換信号の一部分と合成され得る。ブロック１７０８において、第２の周波数変換信号は、第１の周波数変換信号の一部分と合成され得る。
【００８５】
[0101]いくつかの態様によれば、動作１７００は、（１）ブロック１７０６において第１の周波数変換信号を第２の周波数変換信号の一部分と合成する前に、第１の周波数変換信号の何分の１かである振幅を有するように第２の周波数変換信号の一部分をスケーリングすること、または（２）ブロック１７０８において第２の周波数変換信号を第１の周波数変換信号の一部分と合成する前に、第２の周波数変換信号の何分の１かである振幅を有するように第１の周波数変換信号の一部分をスケーリングすることのうちの少なくとも１つをさらに伴い得る。いくつかの態様では、第１または第２の周波数変換信号の一部分のうちの少なくとも１つをスケーリングすることは、プログラム可能である。動作１７００はまた、第１または第２の周波数変換信号の一部分のうちの少なくとも１つの位相を反転させることを含み得る。この位相反転は、プログラム可能であり得る。いくつかの態様では、第１または第２の周波数変換信号の一部分のうちの少なくとも１つをスケーリングすることは、（たとえば、図１２Ａに示すように）第１または第２のローカル発振信号のうちの少なくとも１つによって選択的に使用可能にされる。
【００８６】
[0102]いくつかの態様によれば、ブロック１７０６において第１の周波数変換信号と第２の周波数信号の一部分とを合成することと、ブロック１７０８において第２の周波数変換信号と第１の周波数信号の一部分とを合成することとは、加算ノードにおいてそれぞれの信号を電流加算することを伴い得る。
【００８７】
[0103]いくつかの態様によれば、ブロック１７０２および／またはブロック１７０４において第１または第２の周波数変換信号のうちの少なくとも１つを生成するために乗じることは、プログラム可能である。
【００８８】
[0104]いくつかの態様によれば、第１および第２のローカル発振信号と第１および第２の周波数変換信号とは差動信号である。ＲＦ信号は、差動またはシングルエンドであり得る。
【００８９】
[0105]いくつかの態様によれば、動作１７００は、トランスコンダクタンス増幅器からＲＦ信号を受信することをさらに伴い得る。
【００９０】
[0106]いくつかの態様によれば、第１および第２のローカル発振信号または第１および第２の混合回路のうちの少なくとも一方の間の位相不均衡は、第１の周波数変換信号と第２の周波数変換信号の一部分との合成においておよび第２の周波数変換信号と第１の周波数変換信号の一部分との合成において補正済みであるかまたは少なくとも調整済みである。
【００９１】
[0107]いくつかの態様によれば、動作１７００は、第１のベースバンド回路中で第１の周波数変換信号と第２の周波数変換信号の一部分との合成されたものを処理することと、第２のベースバンド回路中で第２の周波数変換信号と第１の周波数変換信号の一部分との合成されたものを処理することとをさらに伴い得る。このようにして、第１および第２のベースバンド回路の間の位相不均衡は、第１の周波数変換信号と第２の周波数変換信号の一部分との合成において、および第２の周波数変換信号と第１の周波数変換信号の一部分との合成において補正済みであるかまたは少なくとも調整済みであり得る。
【００９２】
（結び）  
[0108]本開示のいくつかの態様は、一般に、補助ミキサの使用有りまたは無しの、ＲＦ回路における直交位相合成および調整に関する。これらの技法を使用して、ＲＦ回路におけるミキサＩ／Ｑ位相不均衡、ＬＯ  Ｉ／Ｑ位相不均衡、および／またはＢＢ  Ｉ／Ｑ位相不均衡が補正されるか、または少なくとも調整され得る。
【００９３】
[0109]上で説明した様々な動作または方法は、対応する機能を実行することができる任意の適切な手段によって実行され得る。それらの手段は、限定はされないが、回路、特定用途向け集積回路（ＡＳＩＣ）、またはプロセッサを含む、様々なハードウェアおよび／またはソフトウェア構成要素および／またはモジュールを含み得る。概して、図に示された動作がある場合、それらの動作は、同様の番号をもつ対応するカウンターパートのミーンズプラスファンクション構成要素を有し得る。
【００９４】
[0110]たとえば、送信するための手段は、送信機（たとえば、図２に示したユーザ端末１２０のトランシーバフロントエンド２５４または図２に示したアクセスポイント１１０のトランシーバフロントエンド２２２）および／またはアンテナ（たとえば、図２に示したユーザ端末１２０ｍのアンテナ２５２ｍａ〜２５２ｍｕまたは図２に示したアクセスポイント１１０のアンテナ２２４ａ〜２２４ａｐ）を備え得る。受信するための手段は、受信機（たとえば、図２に示したユーザ端末１２０のトランシーバフロントエンド２５４または図２に示したアクセスポイント１１０のトランシーバフロントエンド２２２）および／またはアンテナ（たとえば、図２に示したユーザ端末１２０ｍのアンテナ２５２ｍａ〜２５２ｍｕまたは図２に示したアクセスポイント１１０のアンテナ２２４ａ〜２２４ａｐ）を備え得る。処理するための手段または決定するための手段は、図２に示したユーザ端末１２０のＲＸデータプロセッサ２７０、ＴＸデータプロセッサ２８８、および／またはコントローラ２８０など、１つまたは複数のプロセッサを含み得る処理システムを備え得る。乗じるための手段は、Ｉミキサ６０６、Ｑミキサ６０８、Ｉ補助ミキサ６０２、Ｑ補助ミキサ６０４、ミキサ１４００、または補助ミキサ１５０２などの混合回路を含み得る。合成するための手段は、図６Ａに示した加算ノード６１４などの電流加算ノードを含み得る。
【００９５】
[0111]本明細書で使用する「決定すること」という用語は、多種多様なアクションを包含する。たとえば、「決定すること」は、計算すること、算出すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【００９６】
[0112]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【００９７】
[0113]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【００９８】
[0114]本明細書で開示する方法は、説明した方法を達成するための１つまたは複数のステップあるいはアクションを備える。本方法のステップおよび／またはアクションは、特許請求の範囲から逸脱することなく、互いに交換され得る。言い換えれば、ステップまたはアクションの特定の順序が指定されていない限り、特定のステップおよび／またはアクションの順序および／または使用は、特許請求の範囲から逸脱することなく、変更され得る。
【００９９】
[0115]説明した機能は、ハードウェア、ソフトウェア、ファームウェア、またはそれらの任意の組合せで実施され得る。ハードウェアで実装した場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹ層の信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路などの様々な他の回路をリンクし得るが、それらは当技術分野でよく知られており、したがってこれ以上説明しない。
【０１００】
[0116]処理システムは、すべて外部バスアーキテクチャを介して他のサポート回路と互いにリンクされる、プロセッサ機能を提供する１つまたは複数のマイクロプロセッサと、機械可読媒体の少なくとも一部を提供する外部メモリとをもつ汎用処理システムとして構成され得る。代替的に、処理システムは、プロセッサをもつＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明した様々な機能を実行することができる回路の任意の組合せを用いて、実装され得る。当業者なら、特定の適用例と、全体的なシステムに課される全体的な設計制約とに応じて、どのようにしたら処理システムについて説明した機能を最も良く実装し得るかを理解されよう。
【０１０１】
[0117]特許請求の範囲は、上で示された正確な構成および構成要素に限定されないことを理解されたい。上記で説明した方法および装置の構成、動作および詳細において、特許請求の範囲から逸脱することなく、様々な変更、変化および変形が行われ得る。
【図１】
2017513278.tif 000005
【図２】
2017513278.tif 000006
【図３】
2017513278.tif 000007
【図４Ａ】
2017513278.tif 000008
【図４Ｂ】
2017513278.tif 000009
【図４Ｃ】
2017513278.tif 000010
【図４Ｄ】
2017513278.tif 000011
【図５】
2017513278.tif 000012
【図６Ａ】
2017513278.tif 000013
【図６Ｂ】
2017513278.tif 000014
【図７】
2017513278.tif 000015
【図８】
2017513278.tif 000016
【図９】
2017513278.tif 000017
【図１０】
2017513278.tif 000018
【図１１】
2017513278.tif 000019
【図１２Ａ】
2017513278.tif 000020
【図１２Ｂ】
2017513278.tif 000021
【図１３】
2017513278.tif 000022
【図１４】
2017513278.tif 000023
【図１５Ａ】
2017513278.tif 000024
【図１５Ｂ】
2017513278.tif 000025
【図１５Ｃ】
2017513278.tif 000026
【図１５Ｄ】
2017513278.tif 000027
【図１５Ｅ】
2017513278.tif 000028
【図１５Ｆ】
2017513278.tif 000029
【図１６】
2017513278.tif 000030
【図１７】
2017513278.tif 000031
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
周波数変換および直交位相合成のための回路であって、
無線周波数（ＲＦ）信号に第１のローカル発振信号を乗じ、第１の周波数変換信号を生成するように構成された第１の混合回路と、
前記第１のローカル発振信号に対して約９０°位相がずれている第２のローカル発振信号を前記ＲＦ信号に乗じ、第２の周波数変換信号を生成するように構成された第２の混合回路と
前記ＲＦ信号に前記第２のローカル発振信号を乗じ、第３の周波数変換信号を生成するように構成された第３の混合回路と、
前記ＲＦ信号に前記第１のローカル発振信号を乗じ、第４の周波数変換信号を生成するように構成された第４の混合回路と、
前記第１の周波数変換信号を前記第３の周波数変換信号と合成するように構成された第１の合成回路と、
前記第２の周波数変換信号を前記第４の周波数変換信号と合成するように構成された第２の合成回路と、
前記第３の混合回路と前記第１の合成回路との間に挿入され、前記第１の周波数変換信号の何分の１かである振幅を有するように前記第３の周波数変換信号をスケーリングするように構成された第１のスケーリング回路と、
前記第４の混合回路と前記第２の合成回路との間に挿入され、前記第２の周波数変換信号の何分の１かである振幅を有するように前記第４の周波数変換信号をスケーリングするように構成された第２のスケーリング回路と
を備える、回路。
【請求項２】
前記第１または第２のスケーリング回路のうちの少なくとも１つの利得は、プログラム可能である、請求項１に記載の回路。
【請求項３】
前記第１または第２のスケーリング回路のうちの少なくとも１つは、それぞれ、前記第３または第４の周波数変換信号の位相を反転させるように構成された、請求項１に記載の回路。
【請求項４】
前記第１または第２のスケーリング回路のうちの前記少なくとも１つの位相反転は、プログラム可能である、請求項３に記載の回路。
【請求項５】
前記第１および第２の合成回路は、それぞれの信号を電流加算するための加算ノードを備える、請求項１に記載の回路。
【請求項６】
前記第３または第４の混合回路のうちの少なくとも１つは、プログラム可能である、請求項１に記載の回路。
【請求項７】
前記第１および第２のローカル発振信号または前記第１および第２の混合回路のうちの少なくとも一方の間の位相不均衡は、前記第１および第２の合成回路の出力において補正済みである、請求項１に記載の回路。
【請求項８】
前記第１および第３の周波数変換信号の合成されたものを処理するための第１のベースバンド回路と、
前記第２および第４の周波数変換信号の合成されたものを処理するための第２のベースバンド回路と
をさらに備え、
前記第１および第２のベースバンド回路の間の位相不均衡は、前記第１および第２の合成回路の出力において補正済みであるかまたは少なくとも調整済みである、
請求項１に記載の回路。
【請求項９】
周波数変換および直交位相合成のための方法であって、
無線周波数（ＲＦ）信号に第１のローカル発振信号を乗じ、第１の周波数変換信号を生成することと、
前記第１のローカル発振信号に対して約９０°位相がずれている第２のローカル発振信号を前記ＲＦ信号に乗じ、第２の周波数変換信号を生成することと、
前記ＲＦ信号に前記第２のローカル発振信号を乗じ、第３の周波数変換信号を生成することと、
前記ＲＦ信号に前記第１のローカル発振信号を乗じ、第４の周波数変換信号を生成することと、
前記第１および第３の周波数変換信号を合成することと、
前記第２および第４の周波数変換信号を合成することと、
前記第１および第３の周波数変換信号を合成する前に、前記第１の周波数変換信号の何分の１かである振幅を有するように前記第３の周波数変換信号をスケーリングすることと、
前記第２および第４の周波数変換信号を合成する前に、前記第２の周波数変換信号の何分の１かである振幅を有するように前記第４の周波数変換信号をスケーリングすることと
を備える、方法。
【請求項１０】
前記第３または第４の周波数変換信号のうちの少なくとも１つの位相を反転させることをさらに備える、請求項９に記載の方法。
【請求項１１】
前記第１および第３の周波数変換信号を合成することと、前記第２および第４の周波数変換信号を合成することとは、加算ノードにおいてそれぞれの信号を電流加算することを備える、請求項９に記載の方法。
【請求項１２】
前記第１および第２のローカル発振信号または第１および第２の混合回路のうちの少なくとも一方の間の位相不均衡は、前記第１および第３の周波数変換信号の合成されたものならびに前記第２および第４の周波数変換信号の合成されたものにおいて補正済みである、請求項９に記載の方法。
【請求項１３】
第１のベースバンド回路の中で前記第１および第３の周波数変換信号の合成されたものを処理することと、
第２のベースバンド回路の中で前記第２および第４の周波数変換信号の合成されたものを処理することと
をさらに備え、
前記第１および第２のベースバンド回路の間の位相不均衡は、前記第１および第３の周波数変換信号の合成されたものならびに前記第２および第４の周波数変換信号の合成において補正済みであるかまたは少なくとも調整済みである、
請求項９に記載の方法。
【請求項１４】
周波数変換および直交位相合成のための回路であって、
無線周波数（ＲＦ）信号に第１のローカル発振信号を乗じ、第１の周波数変換信号を生成するように構成された第１の混合回路と、
前記第１のローカル発振信号に対して約９０°位相がずれている第２のローカル発振信号を前記ＲＦ信号に乗じ、第２の周波数変換信号を生成するように構成された第２の混合回路と、
前記第１の周波数変換信号を前記第２の周波数変換信号の一部分と合成するように構成された第１の合成回路と、
前記第２の周波数変換信号を前記第１の周波数変換信号の一部分と合成するように構成された第２の合成回路と、
前記第２の混合回路と前記第１の合成回路との間に挿入され、前記第１の周波数変換信号の何分の１かである振幅を有するように前記第２の周波数変換信号の前記一部分をスケーリングするように構成された第１のスケーリング回路、または、前記第１の混合回路と前記第２の合成回路との間に挿入され、前記第２の周波数変換信号の何分の１かである振幅を有するように前記第１の周波数変換信号の前記一部分をスケーリングするように構成された第２のスケーリング回路、のうちの少なくとも１つと
を備える、回路。
【請求項１５】
前記第１または第２のスケーリング回路のうちの少なくとも１つの利得は、プログラム可能である、請求項１４に記載の回路。
【請求項１６】
前記第１または第２のスケーリング回路のうちの少なくとも１つは、それぞれ、前記第２または第１の周波数変換信号の前記一部分の位相を反転させるように構成され、
前記第１または第２のスケーリング回路のうちの前記少なくとも１つの位相反転は、プログラム可能である、
請求項１４に記載の回路。
【請求項１７】
前記第１または第２のスケーリング回路のうちの前記少なくとも１つは、前記第１または第２のローカル発振信号のうちの少なくとも１つによって選択的に使用可能にされる、請求項１４に記載の回路。
【請求項１８】
前記第１および第２の合成回路は、それぞれの信号を電流加算するための加算ノードを備える、請求項１４に記載の回路。
【請求項１９】
前記第１および第２のローカル発振信号または前記第１および第２の混合回路のうちの少なくとも一方の間の位相不均衡は、前記第１および第２の合成回路の出力において補正済みであるかまたは少なくとも調整済みである、請求項１４に記載の回路。
【請求項２０】
前記第１の周波数変換信号と前記第２の周波数変換信号の前記一部分との合成されたものを処理するように構成された第１のベースバンド回路と、
前記第２の周波数変換信号と前記第１の周波数変換信号の前記一部分との合成されたものを処理するように構成された第２のベースバンド回路と
をさらに備え、
前記第１および第２のベースバンド回路の間の位相不均衡は、前記第１の周波数変換信号と前記第２の周波数変換信号の前記一部分との合成されたものならびに前記第２の周波数変換信号と前記第１の周波数変換信号の前記一部分との合成されたものにおいて補正済みであるかまたは少なくとも調整済みである、
請求項１４に記載の回路。
【請求項２１】
周波数変換および直交位相合成のための方法であって、
無線周波数（ＲＦ）信号に第１のローカル発振信号を乗じ、第１の周波数変換信号を生成することと、
前記第１のローカル発振信号に対して約９０°位相がずれている第２のローカル発振信号を前記ＲＦ信号に乗じ、第２の周波数変換信号を生成することと、
前記第１の周波数変換信号を前記第２の周波数変換信号の一部分と合成することと、
前記第２の周波数変換信号を前記第１の周波数変換信号の一部分と合成することと、
前記第１の周波数変換信号を前記第２の周波数変換信号の前記一部分と合成する前に、前記第１の周波数変換信号の何分の１かである振幅を有するように前記第２の周波数変換信号の前記一部分をスケーリングすること、または、前記第２の周波数変換信号を前記第１の周波数変換信号の前記一部分と合成する前に、前記第２の周波数変換信号の何分の１かである振幅を有するように前記第１の周波数変換信号の前記一部分をスケーリングすること、のうちの少なくとも一方と
を備える、方法。
【請求項２２】
前記第１または第２の周波数変換信号の前記一部分のうちの少なくとも１つの位相を反転させることをさらに備える、請求項２１に記載の方法。
【請求項２３】
前記第１または第２の周波数変換信号の前記一部分のうちの少なくとも１つをスケーリングすることは、前記第１または第２のローカル発振信号のうちの少なくとも１つによって選択的に使用可能にされる、請求項２１に記載の方法。
【請求項２４】
前記第１の周波数変換信号と第２の周波数信号の前記一部分とを合成することと、前記第２の周波数変換信号と第１の周波数信号の前記一部分とを合成することとは、加算ノードにおいてそれぞれの信号を電流加算することを備える、請求項２１に記載の方法。
【請求項２５】
前記第１および第２のローカル発振信号または第１および第２の混合回路のうちの少なくとも一方の間の位相不均衡は、前記第１の周波数変換信号と前記第２の周波数変換信号の前記一部分との合成にならびに前記第２の周波数変換信号と前記第１の周波数変換信号の前記一部分との合成において補正済みであるかまたは少なくとも調整済みである、請求項２１に記載の方法。
【請求項２６】
第１のベースバンド回路の中で前記第１の周波数変換信号と前記第２の周波数変換信号の前記一部分との合成されたものを処理することと、
第２のベースバンド回路の中で前記第２の周波数変換信号と前記第１の周波数変換信号の前記一部分との合成されたものを処理することと
をさらに備え、
前記第１および第２のベースバンド回路の間の位相不均衡は、前記第１の周波数変換信号と前記第２の周波数変換信号の前記一部分との合成されたものならびに前記第２の周波数変換信号と前記第１の周波数変換信号の前記一部分との合成されたものにおいて補正済みであるかまたは少なくとも調整済みである、
請求項２１に記載の方法。
【請求項２７】
周波数変換および直交位相合成のための回路であって、
無線周波数（ＲＦ）信号に第１のローカル発振信号を乗じ、第１の周波数変換信号を生成するように構成された第１の混合回路と、
前記第１のローカル発振信号に対して約９０°位相がずれている第２のローカル発振信号を前記ＲＦ信号に乗じ、第２の周波数変換信号を生成するように構成された第２の混合回路と
前記ＲＦ信号に前記第２のローカル発振信号を乗じて第３の周波数変換信号を生成し、前記第３の周波数変換信号の振幅をスケーリングするように構成された第３の混合回路と、
前記ＲＦ信号に前記第１のローカル発振信号を乗じて第４の周波数変換信号を生成し、前記第４の周波数変換信号の振幅をスケーリングするように構成された第４の混合回路と、
前記第１の周波数変換信号を前記第３の混合回路から伝えられるスケーリングされた第３の周波数変換信号と合成することによって、前記第１の周波数変換信号の位相を調整するように構成された第１の合成回路と、
前記第２の周波数変換信号を前記第４の混合回路から伝えられるスケーリングされた第４の周波数変換信号と合成することによって、前記第２の周波数変換信号の位相を調整するように構成された第２の合成回路と
を備える、回路。
【請求項２８】
前記第３の混合回路は、前記第１の周波数変換信号の何分の１かである振幅を有するように前記第３の周波数変換信号をスケーリングするように構成され、
前記第４の混合回路は、前記第２の周波数変換信号の何分の１かである振幅を有するように前記第４の周波数変換信号をスケーリングするように構成される、
請求項２７に記載の回路。
【請求項２９】
前記第３または第４の混合回路のうち少なくとも１つの利得は、プログラム可能である、請求項２７に記載の回路。
【請求項３０】
前記第３または第４の混合回路のうちの少なくとも１つは、それぞれ、前記第３または第４の周波数変換信号の位相を反転させるように構成された、請求項２７に記載の回路。
【請求項３１】
前記第３または第４の混合回路のうちの前記少なくとも１つの位相反転は、プログラム可能である、請求項３０に記載の回路。
【請求項３２】
前記第１のローカル発振信号または前記第２のローカル発振信号のうちの少なくとも１つは、２５％の名目デューティー比を持つ、請求項１に記載の回路。
【請求項３３】
前記第１のローカル発振信号または前記第２のローカル発振信号のうちの少なくとも１つは、２５％の名目デューティー比を持つ、請求項９に記載の方法。
【請求項３４】
前記第１のローカル発振信号または前記第２のローカル発振信号のうちの少なくとも１つは、２５％の名目デューティー比を持つ、請求項１４に記載の回路。
【請求項３５】
前記第１のローカル発振信号または前記第２のローカル発振信号のうちの少なくとも１つは、２５％の名目デューティー比を持つ、請求項２１に記載の方法。
【請求項３６】
前記第１のローカル発振信号または前記第２のローカル発振信号のうちの少なくとも１つは、２５％の名目デューティー比を持つ、請求項２７に記載の回路。
【手続補正２】
【補正対象書類名】明細書
【補正対象項目名】０１０１
【補正方法】変更
【補正の内容】
【０１０１】
[0117]特許請求の範囲は、上で示された正確な構成および構成要素に限定されないことを理解されたい。上記で説明した方法および装置の構成、動作および詳細において、特許請求の範囲から逸脱することなく、様々な変更、変化および変形が行われ得る。  
以下に、本願の出願当初の特許請求の範囲に記載された発明が付記される。 
［Ｃ１］周波数変換および直交位相合成のための回路であって、無線周波数（ＲＦ）信号に第１のローカル発振信号を乗じ、第１の周波数変換信号を生成するように構成された第１の混合回路と、前記第１のローカル発振信号に対して約９０°位相がずれている第２のローカル発振信号を前記ＲＦ信号に乗じ、第２の周波数変換信号を生成するように構成された第２の混合回路と前記ＲＦ信号に前記第２のローカル発振信号を乗じ、第３の周波数変換信号を生成するように構成された第３の混合回路と、前記ＲＦ信号に前記第１のローカル発振信号を乗じ、第４の周波数変換信号を生成するように構成された第４の混合回路と、前記第１の周波数変換信号を前記第３の周波数変換信号と合成するように構成された第１の合成回路と、前記第２の周波数変換信号を前記第４の周波数変換信号と合成するように構成された第２の合成回路とを備える、回路。
［Ｃ２］前記第３の混合回路と前記第１の合成回路との間に挿入され、前記第１の周波数変換信号の何分の１かである振幅を有するように前記第３の周波数変換信号をスケーリングするように構成された第１のスケーリング回路と、前記第４の混合回路と前記第２の合成回路との間に挿入され、前記第２の周波数変換信号の何分の１かである振幅を有するように前記第４の周波数変換信号をスケーリングするように構成された第２のスケーリング回路とをさらに備える、Ｃ１に記載の回路。
［Ｃ３］前記第１または第２のスケーリング回路のうちの少なくとも１つの利得は、プログラム可能である、Ｃ２に記載の回路。
［Ｃ４］前記第１または第２のスケーリング回路のうちの少なくとも１つは、それぞれ、前記第３または第４の周波数変換信号の位相を反転させるように構成された、Ｃ２に記載の回路。
［Ｃ５］前記第１または第２のスケーリング回路のうちの前記少なくとも１つの位相反転は、プログラム可能である、Ｃ４に記載の回路。
［Ｃ６］前記第１および第２の合成回路は、それぞれの信号を電流加算するための加算ノードを備える、Ｃ１に記載の回路。
［Ｃ７］前記第３または第４の混合回路のうちの少なくとも１つは、プログラム可能である、Ｃ１に記載の回路。
［Ｃ８］前記第１および第２のローカル発振信号または前記第１および第２の混合回路のうちの少なくとも一方の間の位相不均衡は、前記第１および第２の合成回路の出力において補正済みである、Ｃ１に記載の回路。
［Ｃ９］前記第１および第３の周波数変換信号の合成されたものを処理するための第１のベースバンド回路と、前記第２および第４の周波数変換信号の合成されたものを処理するための第２のベースバンド回路とをさらに備え、前記第１および第２のベースバンド回路の間の位相不均衡は、前記第１および第２の合成回路の出力において補正済みであるかまたは少なくとも調整済みである、Ｃ１に記載の回路。
［Ｃ１０］周波数変換および直交位相合成のための方法であって、無線周波数（ＲＦ）信号に第１のローカル発振信号を乗じ、第１の周波数変換信号を生成することと、前記第１のローカル発振信号に対して約９０°位相がずれている第２のローカル発振信号を前記ＲＦ信号に乗じ、第２の周波数変換信号を生成することと、前記ＲＦ信号に前記第２のローカル発振信号を乗じ、第３の周波数変換信号を生成することと、前記ＲＦ信号に前記第１のローカル発振信号を乗じ、第４の周波数変換信号を生成することと、前記第１および第３の周波数変換信号を合成することと、前記第２および第４の周波数変換信号を合成することとを備える、方法。
［Ｃ１１］前記第１および第３の周波数変換信号を合成する前に、前記第１の周波数変換信号の何分の１かである振幅を有するように前記第３の周波数変換信号をスケーリングすることと、前記第２および第４の周波数変換信号を合成する前に、前記第２の周波数変換信号の何分の１かである振幅を有するように前記第４の周波数変換信号をスケーリングすることとをさらに備える、Ｃ１０に記載の方法。
［Ｃ１２］前記第３または第４の周波数変換信号のうちの少なくとも１つの位相を反転させることをさらに備える、Ｃ１１に記載の方法。
［Ｃ１３］前記第１および第３の周波数変換信号を合成することと、前記第２および第４の周波数変換信号を合成することとは、加算ノードにおいてそれぞれの信号を電流加算することを備える、Ｃ１０に記載の方法。
［Ｃ１４］前記第１および第２のローカル発振信号または第１および第２の混合回路のうちの少なくとも一方の間の位相不均衡は、前記第１および第３の周波数変換信号の合成されたものならびに前記第２および第４の周波数変換信号の合成されたものにおいて補正済みである、Ｃ１０に記載の方法。
［Ｃ１５］第１のベースバンド回路の中で前記第１および第３の周波数変換信号の合成されたものを処理することと、第２のベースバンド回路の中で前記第２および第４の周波数変換信号の合成されたものを処理することとをさらに備え、前記第１および第２のベースバンド回路の間の位相不均衡は、前記第１および第３の周波数変換信号の合成されたものならびに前記第２および第４の周波数変換信号の合成において補正済みであるかまたは少なくとも調整済みである、Ｃ１０に記載の方法。
［Ｃ１６］周波数変換および直交位相合成のための回路であって、無線周波数（ＲＦ）信号に第１のローカル発振信号を乗じ、第１の周波数変換信号を生成するように構成された第１の混合回路と、前記第１のローカル発振信号に対して約９０°位相がずれている第２のローカル発振信号を前記ＲＦ信号に乗じ、第２の周波数変換信号を生成するように構成された第２の混合回路と、前記第１の周波数変換信号を前記第２の周波数変換信号の一部分と合成するように構成された第１の合成回路と、前記第２の周波数変換信号を前記第１の周波数変換信号の一部分と合成するように構成された第２の合成回路とを備える、回路。
［Ｃ１７］前記第２の混合回路と前記第１の合成回路との間に挿入され、前記第１の周波数変換信号の何分の１かである振幅を有するように前記第２の周波数変換信号の前記一部分をスケーリングするように構成された第１のスケーリング回路、または前記第１の混合回路と前記第２の合成回路との間に挿入され、前記第２の周波数変換信号の何分の１かである振幅を有するように前記第１の周波数変換信号の前記一部分をスケーリングするように構成された第２のスケーリング回路のうちの少なくとも１つをさらに備える、Ｃ１６に記載の回路。
［Ｃ１８］前記第１または第２のスケーリング回路のうちの少なくとも１つの利得は、プログラム可能である、Ｃ１７に記載の回路。
［Ｃ１９］前記第１または第２のスケーリング回路のうちの少なくとも１つは、それぞれ、前記第２または第１の周波数変換信号の前記一部分の位相を反転させるように構成され、前記第１または第２のスケーリング回路のうちの前記少なくとも１つの位相反転は、プログラム可能である、Ｃ１７に記載の回路。
［Ｃ２０］前記第１または第２のスケーリング回路のうちの前記少なくとも１つは、前記第１または第２のローカル発振信号のうちの少なくとも１つによって選択的に使用可能にされる、Ｃ１７に記載の回路。
［Ｃ２１］前記第１および第２の合成回路は、それぞれの信号を電流加算するための加算ノードを備える、Ｃ１６に記載の回路。
［Ｃ２２］前記第１および第２のローカル発振信号または前記第１および第２の混合回路のうちの少なくとも一方の間の位相不均衡は、前記第１および第２の合成回路の出力において補正済みであるかまたは少なくとも調整済みである、Ｃ１６に記載の回路。
［Ｃ２３］前記第１の周波数変換信号と前記第２の周波数変換信号の前記一部分との合成されたものを処理するように構成された第１のベースバンド回路と、前記第２の周波数変換信号と前記第１の周波数変換信号の前記一部分との合成されたものを処理するように構成された第２のベースバンド回路とをさらに備え、前記第１および第２のベースバンド回路の間の位相不均衡は、前記第１の周波数変換信号と前記第２の周波数変換信号の前記一部分との合成されたものならびに前記第２の周波数変換信号と前記第１の周波数変換信号の前記一部分との合成されたものにおいて補正済みであるかまたは少なくとも調整済みである、Ｃ１６に記載の回路。
［Ｃ２４］周波数変換および直交位相合成のための方法であって、無線周波数（ＲＦ）信号に第１のローカル発振信号を乗じ、第１の周波数変換信号を生成することと、前記第１のローカル発振信号に対して約９０°位相がずれている第２のローカル発振信号を前記ＲＦ信号に乗じ、第２の周波数変換信号を生成することと、前記第１の周波数変換信号を前記第２の周波数変換信号の一部分と合成することと、前記第２の周波数変換信号を前記第１の周波数変換信号の一部分と合成することとを備える、方法。
［Ｃ２５］前記第１の周波数変換信号を前記第２の周波数変換信号の前記一部分と合成する前に、前記第１の周波数変換信号の何分の１かである振幅を有するように前記第２の周波数変換信号の前記一部分をスケーリングすること、または前記第２の周波数変換信号を前記第１の周波数変換信号の前記一部分と合成する前に、前記第２の周波数変換信号の何分の１かである振幅を有するように前記第１の周波数変換信号の前記一部分をスケーリングすることのうちの少なくとも１つをさらに備える、Ｃ２４に記載の方法。
［Ｃ２６］前記第１または第２の周波数変換信号の前記一部分のうちの少なくとも１つの位相を反転させることをさらに備える、Ｃ２５に記載の方法。
［Ｃ２７］前記第１または第２の周波数変換信号の前記一部分のうちの少なくとも１つをスケーリングすることは、前記第１または第２のローカル発振信号のうちの少なくとも１つによって選択的に使用可能にされる、Ｃ２５に記載の方法。
［Ｃ２８］前記第１の周波数変換信号と第２の周波数信号の前記一部分とを合成することと、前記第２の周波数変換信号と第１の周波数信号の前記一部分とを合成することとは、加算ノードにおいてそれぞれの信号を電流加算することを備える、Ｃ２４に記載の方法。
［Ｃ２９］前記第１および第２のローカル発振信号または第１および第２の混合回路のうちの少なくとも一方の間の位相不均衡は、前記第１の周波数変換信号と前記第２の周波数変換信号の前記一部分との合成にならびに前記第２の周波数変換信号と前記第１の周波数変換信号の前記一部分との合成において補正済みであるかまたは少なくとも調整済みである、Ｃ２４に記載の方法。
［Ｃ３０］第１のベースバンド回路の中で前記第１の周波数変換信号と前記第２の周波数変換信号の前記一部分との合成されたものを処理することと、第２のベースバンド回路の中で前記第２の周波数変換信号と前記第１の周波数変換信号の前記一部分との合成されたものを処理することとをさらに備え、前記第１および第２のベースバンド回路の間の位相不均衡は、前記第１の周波数変換信号と前記第２の周波数変換信号の前記一部分との合成されたものならびに前記第２の周波数変換信号と前記第１の周波数変換信号の前記一部分との合成されたものにおいて補正済みであるかまたは少なくとも調整済みである、Ｃ２４に記載の方法。
【国際調査報告】
2017513278.tif 000032
2017513278.tif 000033
2017513278.tif 000034